(57)【要約】  送信装置と受信装置とを含む映像処理システムであって、前記送信装置は、入力された３Ｄ画像を符号化し、３Ｄ番組を生成する３Ｄ符号化部と、前記３Ｄ符号化部で生成された３Ｄ番組を含む複数番組から成る映像ストリームを生成するストリーム生成部と、前記映像ストリームを送信するストリーム送信部と、前記映像ストリームに含まれる複数番組の中から重要番組を特定するための情報を送信する情報送信部とを備え、前記受信装置は、前記情報を受信する情報受信部と、前記映像ストリームを受信するストリーム受信部と、前記映像ストリームを復号し、前記情報を用いて重要番組を特定し、特定した前記重要番組を、当該重要番組の直前に出力される先行番組の伝送レートと同じ伝送レートで表示装置との接続に用いられる伝送路へ出力されるように制御する復号処理部とを備える。
2013031156.tif 000002
【特許請求の範囲】
【請求項１】
送信装置と受信装置とを含む映像処理システムであって、
前記送信装置は、
入力された３Ｄ画像を符号化し、３Ｄ番組を生成する３Ｄ符号化部と、
前記３Ｄ符号化部で生成された３Ｄ番組を含む複数番組から成る映像ストリームを生成するストリーム生成部と、
前記映像ストリームを送信するストリーム送信部と、
前記映像ストリームに含まれる複数番組の中から重要番組を特定するための情報を送信する情報送信部とを備え、
前記受信装置は、
前記情報を受信する情報受信部と、
前記映像ストリームを受信するストリーム受信部と、
前記映像ストリームを復号し、前記情報を用いて重要番組を特定し、特定した前記重要番組を、当該重要番組の直前に出力される先行番組の伝送レートと同じ伝送レートで表示装置との接続に用いられる伝送路へ出力されるように制御する復号処理部とを備える
ことを特徴とする映像処理システム。
【請求項２】
前記送信装置は、更に、
２Ｄ原画像又は３Ｄ原画像で構成される番組を複数受け付ける入力部と、
入力された２Ｄ画像を２Ｄ符号化方式で符号化し、２Ｄ番組を生成する２Ｄ符号化部とを備え、
前記３Ｄ符号化部は、入力された３Ｄ画像を３Ｄ符号化方式で符号化し、
前記ストリーム生成部は、前記２Ｄ符号化部で生成された２Ｄ番組を含む前記映像ストリームを生成し、
前記復号処理部は、前記先行番組及び前記重要番組の何れか一方について、復号された２Ｄ画像を３Ｄ画像に変換してデータ量を２倍にするか、又は、復号された３Ｄ画像を２Ｄ画像に変換してデータ量を１／２倍にすることにより、前記先行番組と前記重要番組との伝送レートを等しくする
ことを特徴とする請求項１に記載の映像処理システム。
【請求項３】
入力された３Ｄ画像を符号化し、３Ｄ番組を生成する３Ｄ符号化部と、
前記３Ｄ符号化部で生成された３Ｄ番組を含む複数番組から成る映像ストリームを生成するストリーム生成部と、
前記映像ストリームを送信するストリーム送信部と、
前記映像ストリームに含まれる複数番組の中から、直前に出力する先行番組の伝送レートと同じ伝送レートで、当該送信装置に対応する受信装置と表示装置との間の接続に用いられる伝送路へ出力されるべき重要番組を特定するための情報を送信する情報送信部と
を備えることを特徴とする送信装置。
【請求項４】
前記３Ｄ符号化部により生成される前記３Ｄ番組は、レフトビュービデオストリーム及びライトビュービデオストリームを含み、前記レフトビュービデオストリーム及び前記ライトビュービデオストリームの何れか一方がベースビュービデオストリームであり、他方がアディショナルビュービデオストリームであり、前記アディショナルビュービデオストリームは、前記ベースビュービデオストリームに基づいて生成されたものであり、
前記３Ｄ符号化部は、
前記アディショナルビュービデオストリームを生成する過程で、３Ｄ原画像を縮小しているか否かに応じて、受信装置で３Ｄ画像を２Ｄ画像に変換する場合に、前記アディショナルビュービデオストリームを使用するか否かを示す付加情報を生成する付加情報生成部と、
前記付加情報を前記アディショナルビュービデオストリームに対応付けて出力する出力部とを含む
ことを特徴とする請求項３に記載の送信装置。
【請求項５】
入力された３Ｄ原画像を符号化し、３Ｄ番組を生成する３Ｄ符号化部と、
前記３Ｄ符号化部で生成された３Ｄ番組を含む複数番組から成る映像ストリームを生成するストリーム生成部と、
前記映像ストリームを送信するストリーム送信部とを備え、
前記３Ｄ符号化部により生成される前記３Ｄ番組は、レフトビュービデオストリーム及びライトビュービデオストリームを含み、前記レフトビュービデオストリーム及び前記ライトビュービデオストリームの何れか一方がベースビュービデオストリームであり、他方がアディショナルビュービデオストリームであり、前記アディショナルビュービデオストリームは、前記ベースビュービデオストリームに基づいて生成されたものであり、
前記３Ｄ符号化部は、
前記アディショナルビュービデオストリームを生成する過程で３Ｄ原画像を縮小しているか否かに応じて、受信装置で３Ｄ画像を２Ｄ画像に変換する場合に、前記アディショナルビュービデオストリームを使用するか否かを示す付加情報を生成する付加情報生成部と、
前記付加情報を前記アディショナルビュービデオストリームに対応付けて出力する出力部とを含む
ことを特徴とする送信装置。
【請求項６】
２Ｄ原画像又は３Ｄ原画像で構成された番組を複数受け付ける受付部と、
入力された２Ｄ画像を２Ｄ符号化方式で符号化し、２Ｄ番組を生成する２Ｄ符号化部と、
入力された３Ｄ画像を３Ｄ符号化方式で符号化し、３Ｄ番組を生成する３Ｄ符号化部と、
前記受付部が受け付けた番組が重要番組の場合、前記重要番組と前記重要番組の直前に送信される先行番組とが同一の符号化方式で符号化されるように制御する制御部と、
少なくとも前記２Ｄ符号化部により生成された２Ｄ番組又は前記３Ｄ符号化部により生成された３Ｄ番組を含む映像ストリームを生成するストリーム生成部と、
前記映像ストリームを送信する送信部と
を備えることを特徴とする送信装置。
【請求項７】
前記重要番組が２Ｄ原画像で構成され、且つ、前記先行番組が３Ｄ原画像で構成される場合に、
前記受付部は、前記先行番組を構成する３Ｄ原画像を、前記３Ｄ画像として前記３Ｄ符号化部へ入力し、
前記制御部は、前記重要番組を構成する２Ｄ原画像から３Ｄ画像を生成し、生成した前記３Ｄ画像を前記３Ｄ符号化部へ入力し、
前記映像ストリーム生成部は、前記３Ｄ符号化部により生成された３Ｄ番組である前記重要番組及び３Ｄ番組である前記先行番組を含む前記映像ストリームを生成する
ことを特徴とする請求項６に記載の送信装置。
【請求項８】
前記制御部は、前記重要番組を構成する２Ｄ原画像を複製することにより視差の無い３Ｄ画像を生成し、生成した前記３Ｄ画像を前記３Ｄ符号化部へ入力し、
前記送信装置は、更に、
前記３Ｄ符号化部により生成された視差の無い３Ｄ番組を特定するための情報を送信する情報送信部を備える
ことを特徴とする請求項７に記載の送信装置。
【請求項９】
前記情報送信部は、更に、
前記映像ストリームに含まれる複数番組の中から、直前に表示される先行番組の表示周期と同一の表示周期で、当該送信装置に対応する受信装置と接続された表示装置において表示されるべき重要番組を特定するための情報を送信する
ことを特徴とする請求項８に記載の送信装置。
【請求項１０】
前記重要番組が２Ｄ原画像で構成され、且つ、前記先行番組が３Ｄ原画像で構成される場合に、
前記受付部は、前記重要番組を構成する２Ｄ原画像を前記２Ｄ画像として前記２Ｄ符号化部へ入力し、
前記制御部は、前記先行番組を構成する３Ｄ原画像から２Ｄ画像を生成し、生成した前記２Ｄ画像を前記２Ｄ符号化部へ入力し、
前記映像ストリーム生成部は、前記２Ｄ符号化部により生成された２Ｄ番組である前記重要番組及び２Ｄ番組である前記先行番組を含む前記映像ストリームを生成する
ことを特徴とする請求項６に記載の送信装置。
【請求項１１】
前記重要番組が３Ｄ原画像で構成され、且つ、前記先行番組が２Ｄ原画像で構成される場合に、
前記受付部は、前記先行番組を構成する２Ｄ原画像を前記２Ｄ画像として、前記２Ｄ符号化部へ入力し、
前記制御部は、前記重要番組を構成する３Ｄ原画像から２Ｄ画像を生成し、生成した前記２Ｄ画像を前記２Ｄ符号化部へ入力し、
前記映像ストリーム生成部は、前記２Ｄ符号化部により生成された２Ｄ番組である前記重要番組及び２Ｄ番組である前記先行番組を含む前記映像ストリームを生成する
ことを特徴とする請求項６に記載の送信装置。
【請求項１２】
前記重要番組が３Ｄ原画像で構成され、且つ、前記先行番組が２Ｄ原画像で構成される場合に、
前記受付部は、前記重要番組を構成する３Ｄ原画像を、前記３Ｄ画像として前記３Ｄ符号化部へ入力し、
前記制御部は、前記先行番組を構成する２Ｄ原画像から３Ｄ画像を生成し、生成した前記３Ｄ画像を前記３Ｄ符号化部へ入力し、
前記映像ストリーム生成部は、前記３Ｄ符号化部により生成された３Ｄ番組である前記重要番組及び３Ｄ番組である前記先行番組を含む前記映像ストリームを生成する
ことを特徴とする請求項６に記載の送信装置。
【請求項１３】
前記制御部は、前記先行番組を構成する２Ｄ原画像を複製することにより視差の無い３Ｄ画像を生成し、生成した前記３Ｄ画像を前記３Ｄ符号化部へ入力し、
前記送信装置は、更に、
前記３Ｄ符号化部により生成された視差の無い３Ｄ番組を特定するための情報を送信する情報送信部を備える
ことを特徴とする請求項１２に記載の送信装置。
【請求項１４】
前記情報送信部は、更に、
前記映像ストリームに含まれる複数番組の中から、直前に表示される先行番組の表示周期と同一の表示周期で、当該送信装置に対応する受信装置と接続された表示装置において表示されるべき重要番組を特定するための情報を送信する
ことを特徴とする請求項１３に記載の送信装置。
【請求項１５】
３Ｄ符号化方式で符号化された３Ｄ番組を含む複数番組から成る映像ストリームを受信するストリーム受信部と、
前記映像ストリームに含まれる複数番組の中から重要番組を特定するための情報を受信する情報受信部と、
前記映像ストリームを復号し、前記情報を用いて重要番組を特定し、特定した前記重要番組を、当該重要番組の直前に出力される先行番組の伝送レートと同じ伝送レートで表示装置との接続に用いられる伝送路へ出力されるように制御する復号処理部とを備える
ことを特徴とする受信装置。
【請求項１６】
前記映像ストリームは、更に、２Ｄ符号化方式で符号化された２Ｄ番組を含み、
前記復号処理部は、前記先行番組及び前記重要番組の何れか一方について、復号された２Ｄ画像を３Ｄ画像に変換してデータ量を２倍にするか、又は、復号された３Ｄ画像を２Ｄ画像に変換してデータ量を１／２倍にすることにより、前記先行番組と前記重要番組との伝送レートを等しくする
ことを特徴とする請求項１５に記載の受信装置。
【請求項１７】
前記重要番組が２Ｄ番組であり、且つ、前記先行番組が３Ｄ番組である場合に、
前記復号処理部は、前記重要番組を復号して得られる２Ｄ画像を複製することにより視差の無い３Ｄ画像を生成し、前記先行番組を復号して得られる３Ｄ画像と前記複製により生成した視差の無い３Ｄ画像とを出力する
ことを特徴とする請求項１６に記載の受信装置。
【請求項１８】
前記受信装置と前記表示装置とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠した伝送路で接続されており、
前記受信装置は、更に、復号された２Ｄ画像及び３Ｄ画像をＨＤＭＩ規格に準拠した通信方式で前記表示装置へ送信するＨＤＭＩ送信部を備え、
前記ＨＤＭＩ送信部は、視差の無い３Ｄ画像を送信する際に、視差が無いことを示す冗長フラグを前記３Ｄ画像に付加する
ことを特徴とする請求項１７に記載の受信装置。
【請求項１９】
前記重要番組が２Ｄ番組であり、且つ、前記先行番組が３Ｄ番組である場合に、
前記復号処理部は、前記先行番組を復号して得られる左目用画像及び右目用画像の一方を選択して出力し、前記重要番組を復号して得られる２Ｄ画像を出力する
ことを特徴とする請求項１６に記載の受信装置。
【請求項２０】
前記３Ｄ番組は、レフトビュービデオストリーム及びライトビュービデオストリームを含み、前記レフトビュービデオストリーム及び前記ライトビュービデオストリームの何れか一方がベースビュービデオストリームであり、他方がアディショナルビュービデオストリームであり、前記アディショナルビュービデオストリームは、前記ベースビュービデオストリームに基づいて生成されたものであり、
前記アディショナルビュービデオストリームには、当該アディショナルビュービデオストリームを生成する過程で３Ｄ原画像を縮小しているか否かに応じて、受信装置で３Ｄ画像を２Ｄ画像に変換する場合に、当該アディショナルビュービデオストリームを使用するか否かを示す付加情報が付加されており、
前記復号処理部は、前記付加情報を用いて、前記先行番組を復号して得られる前記左目用画像及び前記右目用画像の何れを選択するか決定する
ことを特徴とする請求項１９に記載の受信装置。
【請求項２１】
前記先行番組が２Ｄ番組であり、且つ、前記重要番組が３Ｄ番組である場合に、
前記復号処理部は、前記先行番組を復号して得られる２Ｄ画像を出力し、前記重要番組を復号して得られる左目用画像及び右目用画像の一方を選択して出力する
ことを特徴とする請求項１６に記載の受信装置。
【請求項２２】
前記３Ｄ番組は、レフトビュービデオストリーム及びライトビュービデオストリームを含み、前記レフトビュービデオストリーム及び前記ライトビュービデオストリームの何れか一方がベースビュービデオストリームであり、他方がアディショナルビュービデオストリームであり、前記アディショナルビュービデオストリームは、前記ベースビュービデオストリームに基づいて生成されたものであり、
前記アディショナルビュービデオストリームには、当該アディショナルビュービデオストリームを生成する過程で３Ｄ原画像を縮小しているか否かに応じて、受信装置で３Ｄ画像を２Ｄ画像に変換する場合に、当該アディショナルビュービデオストリームを使用するか否かを示す付加情報が付加されており、
前記復号処理部は、前記付加情報を用いて、前記重要番組を復号して得られる前記左目用画像及び前記右目用画像の何れを選択するか決定する
ことを特徴とする請求項２１に記載の受信装置。
【請求項２３】
前記重要番組が３Ｄ番組であり、且つ、前記先行番組が２Ｄ番組である場合に、
前記復号処理部は、前記先行番組を復号して得られる２Ｄ画像を複製することにより視差の無い３Ｄ画像を生成し、生成した視差の無い３Ｄ画像と、前記重要番組を復号して得られる３Ｄ画像とを出力する
ことを特徴とする請求項１６に記載の受信装置。
【請求項２４】
前記受信装置と前記表示装置とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠した伝送路で接続されており、
前記受信装置は、更に、復号された２Ｄ画像及び３Ｄ画像をＨＤＭＩ規格に準拠した通信方式で前記表示装置へ送信するＨＤＭＩ送信部を備え、
前記ＨＤＭＩ送信部は、視差の無い３Ｄ画像を送信する際に、視差が無いことを示す冗長フラグを前記３Ｄ画像に付加する
ことを特徴とする請求項２３に記載の受信装置。
【請求項２５】
２Ｄ符号化方式で符号化された２Ｄ番組と３Ｄ符号化方式で符号化された３Ｄ番組とを含む複数番組から成る映像ストリームを受信するストリーム受信部と、
視差の無い３Ｄ番組を特定するための情報を受信する情報受信部と、
受信した前記映像ストリームを復号する復号処理部と、
復号された２Ｄ画像及び３Ｄ画像を、ＨＤＭＩ規格に準拠した通信方式で表示装置へ送信するＨＤＭＩ送信部とを備え、
前記ＨＤＭＩ送信部は、視差の無い３Ｄ画像を送信する際に、視差が無いことを示す冗長フラグを前記３Ｄ画像に付加する
ことを特徴とする受信装置。
【請求項２６】
前記情報受信部は、更に、
前記映像ストリームに含まれる複数番組の中から、直前に表示される先行番組の表示周期と同一の表示周期で、当該送信装置に対応する受信装置と接続された表示装置において表示されるべき重要番組を特定するための情報を受信し、
前記ＨＤＭＩ送信部は、前記視差の無い３Ｄ画像が前記重要番組である場合には、前記冗長フラグを前記３Ｄ画像に付加する処理を抑制する
ことを特徴とする請求項２５に記載の受信装置。
【請求項２７】
３Ｄ符号化方式で符号化された映像ストリームを受信するストリーム受信部と、
前記映像ストリームを復号する３Ｄ復号部と、
復号された３Ｄ画像を２Ｄ画像に変換して出力する出力制御部とを備える受信装置であって、
前記映像ストリームは、レフトビュービデオストリーム及びライトビュービデオストリームを含み、前記レフトビュービデオストリーム及び前記ライトビュービデオストリームの何れか一方がベースビュービデオストリームであり、他方がアディショナルビュービデオストリームであり、前記アディショナルビュービデオストリームは、前記ベースビュービデオストリームに基づいて生成されたものであり、
前記アディショナルビュービデオストリームには、当該アディショナルビュービデオストリームを生成する過程で３Ｄ原画像を縮小しているか否かに応じて、受信装置で３Ｄ画像を２Ｄ画像に変換する場合に、当該アディショナルビュービデオストリームを使用するか否かを示す付加情報が付加されており、
前記出力制御部は、３Ｄ画像を２Ｄ画像に変換する際に、前記付加情報を用いて、前記アディショナルビュービデオストリームを使用するか否か判断する
ことを特徴とする受信装置。
【請求項２８】
送信装置で用いられる送信方法であって、
３Ｄ画像を符号化し、３Ｄ番組を生成する３Ｄ符号化ステップと、
前記３Ｄ符号化ステップで生成された３Ｄ番組を含む複数番組から成る映像ストリームを生成するストリーム生成ステップと、
前記映像ストリームを送信するストリーム送信ステップと、
前記映像ストリームに含まれる複数番組の中から、直前に出力する先行番組の伝送レートと同じ伝送レートで、当該送信装置に対応する受信装置と表示装置との間の接続に用いられる伝送路へ出力されるべき重要番組を特定するための情報を送信する情報送信ステップとを含む
ことを特徴とする送信方法。
【請求項２９】
送信装置で用いられるコンピュータプログラムであって、
３Ｄ画像を符号化し、３Ｄ番組を生成する３Ｄ符号化ステップと、
前記３Ｄ符号化ステップで生成された３Ｄ番組を含む複数番組から成る映像ストリームを生成するストリーム生成ステップと、
前記映像ストリームを送信するストリーム送信ステップと、
前記映像ストリームに含まれる複数番組の中から、直前に出力する先行番組の伝送レートと同じ伝送レートで、当該送信装置に対応する受信装置と表示装置との間の接続に用いられる伝送路へ出力されるべき重要番組を特定するための情報を送信する情報送信ステップとを前記送信装置に実行させる
ことを特徴とするコンピュータプログラム。
【請求項３０】
受信装置で用いられる受信方法であって、
３Ｄ符号化方式で符号化された３Ｄ番組を含む複数番組から成る映像ストリームを受信するストリーム受信ステップと、
前記映像ストリームに含まれる複数番組の中から重要番組を特定するための情報を受信する情報受信ステップと、
前記映像ストリームを復号し、前記情報を用いて重要番組を特定し、特定した前記重要番組を、当該重要番組の直前に出力される先行番組の伝送レートと同じ伝送レートで表示装置との接続に用いられる伝送路へ出力されるように制御する復号処理ステップとを含む
ことを特徴とする受信方法。
【請求項３１】
受信装置で用いられるコンピュータプログラムであって、
３Ｄ符号化方式で符号化された３Ｄ番組を含む複数番組から成る映像ストリームを受信するストリーム受信ステップと、
前記映像ストリームに含まれる複数番組の中から重要番組を特定するための情報を受信する情報受信ステップと、
前記映像ストリームを復号し、前記情報を用いて重要番組を特定し、特定した前記重要番組を、当該重要番組の直前に出力される先行番組の伝送レートと同じ伝送レートで表示装置との接続に用いられる伝送路へ出力されるように制御する復号処理ステップとを前記受信装置に実行させる
ことを特徴とするコンピュータプログラム。
【発明の詳細な説明】
【技術分野】
【０００１】
本発明は、デジタル放送技術に関し、特に、３Ｄ番組と２Ｄ番組とが混在した放送番組を送受信する技術に関する。
【背景技術】
【０００２】
テレビ放送のデジタル化移行が進み、放送番組は高画質化している。また、最近では、３Ｄ番組も放送されるようになってきた。現在、３Ｄ番組は、サイドバイサイド方式で符号化されている。サイドバイサイド方式では、左目画像と右目画像とを、それぞれ横方向に１／２のサイズに縮小し、これらを合成して一枚の画像とし、従来の２Ｄ番組と同様の圧縮符号化方式（例えば、ＭＰＥＧ−２、Ｈ．２６４／ＭＰＥＧ−４ＡＶＣ等）で符号化する。このように、サイドバイサイド方式では、左目画像と右目画像とを縮小するため、画質が劣化する。【０００３】
画質の劣化が生じにくい符号化方式として、Ｈ．２６４ＭＶＣ（Ｍｕｌｔｉ  Ｖｉｅｗ  Ｃｏｄｉｎｇ）がある（非特許文献１参照）。【０００４】
Ｈ．２６４ＭＶＣでは、例えば、左目画像は、従来の２Ｄ番組と同様にＨ．２６４／ＭＰＥＧ−４ＡＶＣを用いて符号化し、右目画像は、同一時刻に表示される左目画像のフレームを参照して符号化する。Ｈ．２６４ＭＶＣは、サイドバイサイド方式と比較して画質の劣化が少なく、また、左目画像を参照して右目画像を符号化するため圧縮効率が良い。【０００５】
このような新たな符号化方式の登場により、今後は２Ｄ番組と３Ｄ番組とが混在して放送されることが予想される。
【先行技術文献】
【非特許文献】
【０００６】
【非特許文献１】ＩＳＯ／ＩＥＣ １４４９６−１０：２００９
【発明の概要】
【発明が解決しようとする課題】
【０００７】
２Ｄ番組と３Ｄ番組とが混在している場合、受信装置は、２Ｄ番組と３Ｄ番組とが切り替わる毎に復号方式を切り替える必要がある。また、受信装置と表示装置とがＨＤＭＩケーブルで接続されている場合、２Ｄ番組と３Ｄ番組とが切り替わる毎に受信装置と表示装置との間でＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルの通信モードを再設定し、伝送レートを変更する必要がある。通信モードの再設定には数秒間を要するため、その間、表示装置の画面が真っ暗になり、番組が正常に表示されない可能性がある。【０００８】
例えば、本編が３Ｄ番組であり、コマーシャルが２Ｄ番組であるとすると、コマーシャルに切り替わったと途端、テレビ画面が真っ暗になり、コマーシャルの最初の部分が表示されない可能性がある。これは、コマーシャルを放送することにより収益を得ている放送局にとって大きな問題である。【０００９】
そこで、本発明は、上記の問題点に鑑みてなされたものであり、２Ｄ番組と３Ｄ番組とが混在している場合であっても、表示装置において重要な番組を正常に表示することが可能な映像処理システム、送信装置、受信装置、送信方法、受信方法及びコンピュータプログラムを提供することを目的とする。
【課題を解決するための手段】
【００１０】
上記の目的を達成するために、本発明の一態様である映像処理システムは、送信装置と受信装置とを含む映像処理システムであって、前記送信装置は、入力された３Ｄ画像を符号化し、３Ｄ番組を生成する３Ｄ符号化部と、前記３Ｄ符号化部で生成された３Ｄ番組を含む複数番組から成る映像ストリームを生成するストリーム生成部と、前記映像ストリームを送信するストリーム送信部と、前記映像ストリームに含まれる複数番組の中から重要番組を特定するための情報を送信する情報送信部とを備え、前記受信装置は、前記情報を受信する情報受信部と、前記映像ストリームを受信するストリーム受信部と、前記映像ストリームを復号し、前記情報を用いて重要番組を特定し、特定した前記重要番組を、当該重要番組の直前に出力される先行番組の伝送レートと同じ伝送レートで表示装置との接続に用いられる伝送路へ出力されるように制御する復号処理部とを備えることを特徴とする。
【発明の効果】
【００１１】
上記の構成によると、重要番組を先行番組の伝送レートと同じ伝送レートで出力することができるので、受信装置と表示装置との間で通信モードの再設定を行う必要がなくなる。そのため、表示装置において重要な番組を正常に表示することが可能となる。
【図面の簡単な説明】
【００１２】
【図１】映像処理システム１の構成を示すシステム構成図
【図２】送信装置１０の構成を示すブロック図
【図３】Ｈ．２６４方式及びＨ．２６４ＭＶＣ方式について説明するための図
【図４】３Ｄ符号化部１０３の詳細構成を示す図
【図５】付加情報１４００のデータ構成を示す図
【図６】番組情報１５００のデータ構成を示す図
【図７】送信装置１０の動作を示すフローチャート
【図８】ＢＤレコーダ２０及びデジタルテレビ３０の構成を示すブロック図
【図９】ＢＤレコーダ２０及びデジタルテレビ３０の構成を示すブロック図
【図１０】復号処理部２０４の内部構成を示すブロック図
【図１１】表示モードと伝送レートについて説明するための図
【図１２】ＢＤレコーダ２０の動作を示すフローチャート
【図１３】ＢＤレコーダ２０及びデジタルテレビ３０の動作を示すフローチャート
【図１４】送信装置１０ａの構成を示すブロック図
【図１５】送信装置１０ａの動作を示すフローチャート
【図１６】ＢＤレコーダ２０ａ及びデジタルテレビ３０ａの構成を示すブロック図
【図１７】復号処理部２０４ａ及びＨＤＭＩ送信部２０５ａの内部構成を示すブロック図
【図１８】ＢＤレコーダ２０ａの動作を示すフローチャート
【図１９】ＢＤレコーダ２０ａ及びデジタルテレビ３０ａの動作を示すフローチャート
【図２０】送信装置１０ｂの構成を示すブロック図
【図２１】送信装置１０ｂの動作を示すフローチャート
【図２２】ＢＤレコーダ２０ｂ及びデジタルテレビ３０ｂの構成を示すブロック図
【図２３】ＢＤレコーダ２０ｂの動作を示すフローチャート
【図２４】映像処理システム２の構成を示すシステム構成図
【発明を実施するための最適の形態】
【００１３】
＜１．実施の形態１＞
ここでは、本発明の実施の形態１である映像処理システム１について図面を参照しながら説明する。
＜１−１．システムの概要＞
図１は、映像処理システム１のシステム構成を示す図である。
【００１４】
同図に示すように、映像処理システム１は、送信装置１０、ＢＤ（Ｂｌｕ−ｒａｙ  Ｄｉｓｃ）レコーダ２０、デジタルテレビ３０、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル４０、リモコン５０及び３Ｄ眼鏡６０から構成される。なお、送信装置１０、ＢＤレコーダ２０及びデジタルテレビ３０は、それぞれ、本発明に係る送信装置、受信装置及び表示装置の一例である。
【００１５】
送信装置１０は、デジタル放送の放送局に設置された装置である。送信装置１０は、２Ｄ番組又は３Ｄ番組である複数の番組から構成される放送番組を符号化し、デジタル放送波に載せて送信する。送信装置１０は、放送番組を復号する際に、当該放送番組の番組情報を参照し、各番組（２Ｄ番組又は３Ｄ番組）が重要番組であるか否か判断する。そして、重要番組である場合、受信側で表示モードの切り替えが発生するのを抑制するための情報である重要フラグを生成する。
【００１６】
本実施形態で「受信側」とは、ＢＤレコーダ２０及びデジタルテレビ３０を指す。また、本実施形態で「表示モード」とは、「２Ｄ表示モード」及び「３Ｄ表示モード」の何れかであり、「２Ｄ表示モード」は、受信側で２Ｄ番組を表示するモードを指し、「３Ｄ表示モード」とは、受信側で３Ｄ番組を表示するモードを指す。
【００１７】
ＢＤレコーダ２０は、符号化された放送番組を受信し、復号して、ＨＤＭＩケーブル４０を介してデジタルテレビ３０へ出力する。ここで、ＨＤＭＩケーブルは、ＨＤＭＩ規格に準拠した通信方式でデジタル信号を伝送する。
【００１８】
ＢＤレコーダ２０は、放送番組をデジタルテレビ３０へ出力する際に、復号した放送番組に含まれる各番組（２Ｄ番組又は３Ｄ番組）について、重要番組であるか否か判断する。そして、重要番組であり、且つ、当該重要番組の表示モードと直前に出力された先行番組の表示モードとが異なる場合、ＢＤレコーダ２０は、重要番組の表示モードを変更する。即ち、２Ｄ番組を３Ｄ番組に変換したり、３Ｄ番組を２Ｄ番組に変換したりする。そのため、ＢＤレコーダ２０からデジタルテレビ３０へ重要番組を出力する際には、表示モードの切り替えが発生しない。
【００１９】
リモコン５０は、ＢＤレコーダ２０へ各種の指示を入力するための入力デバイスである。ユーザはリモコン５０を操作することにより、所望のチャンネルの選択など、ＢＤレコーダ２０に対して各種の指示を入力することができる。
【００２０】
デジタルテレビ３０は、３Ｄ表示モードのとき、右目用画像と左目用画像とを交互にディスプレイに出力する。ユーザは、液晶シャッターを備える３Ｄ眼鏡６０を装着することにより、立体的な３Ｄ番組を視聴することができる。
＜１−２．送信装置１０の構成＞
図２は、送信装置１０の構成を示すブロック図である。同図に示すように、送信装置１０は、入力部１０１、２Ｄ符号化部１０２、３Ｄ符号化部１０３、重要フラグ生成部１０４、多重化部１０５及びストリーム送信部１０６から構成される。
【００２１】
送信装置１０は、図示されていないプロセッサ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ハードディスクを含む。また、送信装置１０の各機能ブロックは、ハードウェアとして構成されているか、もしくはプロセッサがＲＯＭやハードディスクに記憶されているコンピュータプログラムを実行することで実現される。
【００２２】
入力部１０１は、図示していない番組制作装置で制作された放送番組及び当該放送番組の構成が記載された番組情報を受け付ける。入力部１０１が受け付ける放送番組は、２Ｄ表示用の２Ｄ番組及び３Ｄ表示用の３Ｄ番組を複数含んで構成される。
【００２３】
２Ｄ番組は、約６０フレーム／秒（フレームパーセック）のインターレース画像（以下、２Ｄ原画像と記載する）が時間的に連続したものである。３Ｄ番組は、左目用及び右目用のそれぞれについて、約６０フレーム／秒のインターレース画像（以下、左目用原画像及び右目用原画像と記載する）が時間的に連続したものである。
【００２４】
入力部１０１は、２Ｄ番組を２Ｄ符号化部１０２へ出力し、３Ｄ番組を３Ｄ符号化部１０３へ出力し、番組情報を重要フラグ生成部１０４へ出力する。
【００２５】
２Ｄ符号化部１０２は、２Ｄ番組を受け取り、受け取った２Ｄ番組を、２Ｄ符号化方式（例えば、Ｈ．２６４方式）を用いて符号化する。
【００２６】
３Ｄ符号化部１０３は、３Ｄ番組を受け取り、受け取った３Ｄ番組を、３Ｄ符号化方式（例えば、Ｈ．２６４ＭＶＣ方式）を用いて符号化する。
【００２７】
重要フラグ生成部１０４は、番組情報を受け取り、受け取った番組情報を参照し、現在２Ｄ符号化部１０２又は３Ｄ符号化部１０３で符号化処理中の番組が重要番組であるか否か判断する。重要フラグ生成部１０４は、符号化処理中の番組が重要番組であると判断すると、重要フラグ「１」を多重化部１０５へ出力する。一方、重要フラグ生成部１０４は、符号化されている番組が重要番組でなく通常番組であると判断すると、重要フラグ「０」を多重化部１０５へ出力する。番組情報については後述する。
【００２８】
多重化部１０５は、２Ｄ符号化部１０２から符号化された２Ｄ番組を受け取り、３Ｄ符号化部１０３から符号化された３Ｄ番組と後述する付加情報とを受け取る。また、多重化部１０５は、図示していない音声符号化部から音声ストリームを受け取る。
【００２９】
多重化部１０５は、重要フラグ生成部１０４から受け取った重要フラグ、３Ｄ符号化部１０３から受け取った付加情報をＰＳＩ（Ｐｒｏｇｒａｍ  Ｓｐｅｃｉｆｉｃ  Ｉｎｆｏｒｍａｔｉｏｎ）に記載する。更に、多重化部１０５は、放送番組に含まれる各番組が２Ｄ番組であるか３Ｄ番組であるかを示す３ＤフラグをＰＳＩに記載する。本実施形態では、一例として、３Ｄフラグ「０」が２Ｄ番組を表し、３Ｄフラグ「１」が３Ｄ番組を表すこととする。
【００３０】
多重化部１０５は、符号化された２Ｄ番組及び符号された３Ｄ番組を含む映像ストリーム、音声ストリーム、ＰＳＩ、その他のマルチメディアストリーム等を多重化し、トランスポートストリーム（ＴＳ）を生成する。多重化部１０５は、生成したトランスポートストリームを、ストリーム送信部１０６へ出力する。
【００３１】
ストリーム送信部１０６は、多重化部１０５で生成されたトランスポートストリームをデジタル放送波に重畳して送信する。
【００３２】
図２に記載のＴＳ１１００は、ストリーム送信部１０６から送信されるトランスポートストリームを簡略化して記載したものである。３Ｄ番組１１０２が先頭の番組である。３Ｄ番組１１０２に続いて、２Ｄ番組１１０４、２Ｄ番組１１０６、・・・の順序で送信される。重要フラグ１１０１は、３Ｄ番組１１０２に対応する。重要フラグ１１０１の値は「０」であるから、３Ｄ番組１１０２は、通常番組である。重要フラグ１１０３は、２Ｄ番組１１０４に対応する。重要フラグ１１０３の値は「１」であるから、２Ｄ番組１１０４は、重要番組である。重要フラグ１１０５は、２Ｄ番組１１０６に対応する。重要フラグ１１０４の値は「０」であるから、２Ｄ番組１１０６は、通常番組である。
【００３３】
＜１−３．符号化方式の詳細＞
ここでは、２Ｄ符号化部１０２及び３Ｄ符号化部１０３の詳細について説明する。
【００３４】
図３（ａ）は、２Ｄ符号化部１０２において２Ｄ符号化方式を用いて符号化されたストリームのフレーム参照関係を表した図である。ここで、「フレーム」とは、符号化の単位である。２Ｄ符号化方式で符号化されたストリームは、参照フレームを用いずにフレーム内予測符号化を行うＩフレームと、既に処理済の１枚のフレームを参照してフレーム間予測符号化を行うＰフレームと、既に処理済みの２枚のフレームを同時に参照してフレーム間予測符号化を行うＢフレームとを含む。このように、２Ｄ符号化部１０２は、２Ｄ符号化方式として時間方向の相関特性を利用したフレーム間予測符号化を用いる。一例として、Ｈ．２６４／ＭＰＥＧ−４ＡＶＣである。
【００３５】
図３（ｂ）は、３Ｄ符号化部１０３において３Ｄ符号化方式を用いて符号化されたストリームのフレーム参照関係を表した図である。図３（ｂ）の上段は、左目用原画像を符号化することにより得られるレフトビュービデオストリームである。一方、図３（ｂ）の下段は、右目用原画像を符号化することにより得られるライトビュービデオストリームである。
【００３６】
レフトビュービデオストリームは、図３（ａ）の２Ｄ符号化方式と同様の参照構造を有している。
【００３７】
ライトビュービデオストリームは、時間方向の相関特性を利用したフレーム間予測符号化に加えて、視点間の相関特性を利用したフレーム間予測符号化によって圧縮されている。即ち、ライトビュービデオストリームのフレームは、レフトビュービデオストリームの同じ表示時刻のフレームを参照して圧縮されている。
【００３８】
レフトビュービデオストリームのように、単体で復号可能なストリームを「ベースビュービデオストリーム」という。一方、ライトビュービデオストリームのように、ベースビュービデオストリームを構成するフレームを参照しており、ベースビュービデオストリームが復号された後に復号可能なストリームを「アディショナルビューストリーム」又は「ディペンデントビューストリーム」という。
【００３９】
続いて、図４を用いて、３Ｄ符号化部１０３による符号化処理についてより詳細に説明する。
【００４０】
符号化部１３０２は、左目用原画像１３０１を符号化し、左目画像１３０３を出力する。符号化部１３０２から順次出力される左目画像１３０３を羅列した符号化列がレフトビュービデオストリームである。本実施形態では、レフトビュービデオストリームがベースビュービデオストリームに相当する。
【００４１】
上述したように、右目用原画像１３０４は、同時刻に表示される左目用原画像１３０１との差分を符号化する。そこで先ず、復号部１３０５は、符号化された左目画像１３０３を復号し、復号された左目画像１３０６を得る。そして、圧縮率を高めるために、画像圧縮部１３０７は、左目画像１３０６を縮小して解像度を落とし、縮小画像１３０８を生成する。また、画像圧縮部１３０７は、右目用原画像１３０４を縮小し、縮小画像１３０９を生成する。画像圧縮部１３０７は、左目画像１３０６及び右目用原画像１３０４の縦方向のみを縮小してもよいし、横方向のみを縮小してもよいし、縦方向及び横方向共に縮小してもよい。
【００４２】
差分算出器１３１０は、左目用の縮小画像１３０８と、右目用の縮小画像１３０９との差分を算出する。符号化部１３１１は、算出された差分を符号化する。符号化部１３１１から順次出力される符号化された差分１３１２を羅列した符号化列がライトビュービデオストリームである。本実施形態では、ライトビュービデオストリームがアディショナルビュービデオストリームに相当する。
【００４３】
付加情報生成部１３１３は、ベースビュービデオストリーム及びアディショナルビュースビデオトリームのそれぞれについて、画像圧縮部１３０７による縮小度合い等を記載した付加情報を生成する。付加情報は、３Ｄ符号化部１０３から多重化部１０５へ出力され、多重化部１０５により、ＰＳＩのＰＭＴ（Ｐｒｏｇｒａｍ  Ｍａｐ  Ｔａｂｌｅ）内に記載される。
＜１−４．付加情報について＞
ここでは、付加情報のデータ構成及び利用方法について説明する。
【００４４】
先ず始めに、３Ｄ符号化部１０３で生成されたアディショナルビュービデオストリームの復号処理について簡単に説明する。ＢＤレコーダ２０は、アディショナルビュービデオストリームを復号する際、符号化の逆の動作を行えばよい。即ち、ＢＤレコーダ２０は、先ず、符号化された差分を復号する。次に、復号されたベースビュービデオストリームを縮小し、解像度を落とした縮小画像を生成する。そして、復号した差分と縮小画像とを加算することにより、縮小された復号画像を生成する。最後に、ＢＤレコーダ２０は、縮小された復号画像を伸張することにより、表示すべき右目用画像を得る。
【００４５】
このように、３Ｄ符号化部１０３による符号化方式では、復号された右目用画像は、左目用画像に比べて解像度が低下している。しかし、ユーザは、左目用画像と右目用画像とを交互に見るため、ユーザの脳内で左目用画像と右目用画像とが合成されるため、右目用画像の解像度の低下はあまり認識されない。
【００４６】
ところが、上述したように、ＢＤレコーダ２０が重要番組の表示モードを直近の先行番組の表示モードに合わせるために３Ｄ番組を２Ｄ番組に変換する場合、左目用画像を破棄し、解像度が低下した右目用画像のみ選択して出力すると、画質の劣化が明らかになり、ユーザに違和感を与える。そこで、ＢＤレコーダ２０が３Ｄ番組を２Ｄ番組に変換する際に、適切な画像を選択することができるように、付加情報生成部１３１３は、付加情報を生成する。
【００４７】
付加情報のデータ構成の一例を図５に示す。図５に記載の付加情報１４００は、対象ストリーム（付加情報１４００が付与されているストリーム）が、ベースビュービデオストリームなのかアディショナルビュービデオストリームなのか示すフラグ１４０１、及び、対象ストリームがアディショナルビュービデオストリームである場合に、レフトビュービデオストリームなのかライトビュービデオストリームなのか示すフラグ１４０２と横方向の縮小度合１４０３と縦方向の縮小度合１４０４と２Ｄ表示モードで出力する際に用いるべきか否か示すフラグ１４０５とを含む。
【００４８】
付加情報生成部１３１３は、ベースビュービデオストリーム及びアディショナルビュービデオストリームの生成時にそれぞれのストリームについて、図５の付加情報１４００に値を記述して付加情報１４００を完成させる。
【００４９】
ＢＤレコーダ２０で３Ｄ番組を２Ｄ番組に変換する際の画質の劣化を防止するために、横方向の縮小度合い１４０３又は縦方向の縮小度合い１４０４の何れかに、「５０％」等、縮小されていることを示す値が記載されている場合、付加情報生成部１３１３は、フラグ１４０５の値を「偽（Ｆａｌｓｅ）」に設定する。一方、横方向の縮小度合い１４０３及び縦方向の縮小度合い１４０４が何れも「１００％」等、原画像を縮小していないことを示す値が記載されている場合、付加情報生成部１３１３は、フラグ１４０５の値を「真（Ｔｒｕｅ）」に設定する。
【００５０】
図４で説明したように符号化処理が行われる場合、付加情報生成部１３１３は、アディショナルビュービデオストリームに付与する付加情報１４００のフラグ１４０５を「偽」に設定する。
＜１−５．番組情報のデータ構成＞
図６は、番組情報１５００のデータ構成を示す図である。番組情報１５００は、放送番組毎に生成されており、放送番組を構成する各番組に関する情報を記載したものである。一例として、番組情報１５００は、各番組の番組ＩＤ、番組内容、重要度及び表示形態を含む。
【００５１】
番組ＩＤは、各番組の送信順序を示す番号である。番組内容は、「本編」又は「コマーシャル」の何れかである。重要度は、「通常」又は「重要」の何れかである。上述したように、放送局にとっては、スポンサー企業との関係上、本編が正常に表示されない場合より、コマーシャルが正常に表示されない場合の方が問題となる。そこで、本実施形態では、一例として、コマーシャルを「重要番組」と規定し、重要度を「重要」に設定する。また、本編を「通常番組」と規定し、重要度を「通常」に設定する。表示形態は、番組が２Ｄ番組であるか３Ｄ番組であるのかを示す情報である。
＜１−６．送信装置１０の動作＞
図７は、送信装置１０の動作を示すフローチャートである。
【００５２】
入力部１０１は、処理対象である番組（ここでは、「対象番組」と記載する。）の入力を受け付ける（ステップＳ１）。対象番組とは、放送番組を構成する２Ｄ番組又は３Ｄ番組である。入力部１０１は、ステップＳ１の前に、当該放送番組に対応する番組情報の入力を受け付け、受け付けた番組情報を重要フラグ生成部１０４へ渡しているものとする。
【００５３】
ステップＳ１で入力された対象番組が２Ｄ番組である場合（ステップＳ２で「２Ｄ」）、入力部１０１は、対象番組を２Ｄ符号化部１０２へ出力する。そして、２Ｄ符号化部１０２は、対象番組を符号化する（ステップＳ３）。２Ｄ符号化部１０２は、符号化された２Ｄ番組を多重化部１０５へ出力する。
【００５４】
対象番組が３Ｄ番組である場合（ステップＳ２で「３Ｄ」）、入力部１０１は、対象番組を３Ｄ符号化部１０３へ出力する。そして、３Ｄ符号化部１０３は、対象番組を符号化し、ベースビュービデオストリーム及びアディショナルビュービデオストリームを生成する（ステップＳ４）。なお、以下では、ベースビュービデオストリーム及びアディショナルビュービデオストリームの組みを、「符号化された３Ｄ番組」と記載することがある。
【００５５】
続いて、３Ｄ符号化部１０３は、ステップＳ４で生成したベースビュービデオストリーム及びアディショナルビュービデオストリームそれぞれに対して付加情報を生成する（ステップＳ５）。３Ｄ符号化部１０３は、符号化された３Ｄ番組及び付加情報を多重化部１０５へ出力する。
【００５６】
重要フラグ生成部１０４は、入力部１０１から受け取った番組情報を参照し（ステップＳ６）、対象番組が重要番組であるか否か判断する。ここで、重要フラグ生成部１０４は、対象番組を番組ＩＤにより識別することができる。そこで、重要フラグ生成部１０４は、番組情報から、対象番組の番組ＩＤに対応する重要度を抽出する。重要度が「重要」に設定されている場合、対象番組は重要番組である。重要度が「通常」に設定されている場合、対象番組は重要番組ではない。
【００５７】
対象番組が重要番組である場合（ステップＳ７でＹＥＳ）、重要フラグ生成部１０４は、重要フラグとして「１」を生成し（ステップＳ８）、多重化部１０５へ出力する。
【００５８】
対象番組が重要番組でない場合（ステップＳ７でＮＯ）、重要フラグ生成部１０４は、重要フラグとして「０」を生成し（ステップＳ９）、多重化部１０５へ出力する。
【００５９】
なお、ステップＳ６〜ステップＳ９の処理は、ステップＳ３及びステップＳ４と並列に行ってもよい。
【００６０】
多重化部１０５は、符号化された２Ｄ番組、符号化された３Ｄ番組、ＰＳＩ、音声ストリーム、その他のマルチメディアストリームを受け取り、これらを多重化してトランスポートストリームを生成する（ステップＳ１０）。
【００６１】
ストリーム送信部１０６は、多重化部１０５で生成されたトランスポートストリームをデジタル放送波に重畳して送信する（ステップＳ１１）。
＜１−７．ＢＤレコーダ２０の構成＞
図８は、ＢＤレコーダ２０及びデジタルテレビ３０の構成を示すブロック図である。
【００６２】
図８に示すように、ＢＤレコーダ２０は、チューナ２０１、多重分離部２０２、制御情報管理部２０３、復号処理部２０４及びＨＤＭＩ送信部２０５から構成される。
【００６３】
ＢＤレコーダ２０は、図示されていないプロセッサ、ＲＡＭ、ＲＯＭ、ハードディスクを含む。また、ＢＤレコーダ２０の各機能ブロックは、ハードウェアとして構成されているか、もしくはプロセッサがＲＯＭやハードディスクに記憶されているコンピュータプログラムを実行することで実現される。
【００６４】
チューナ２０１は、デジタル放送波を受信して復調し、トランスポートストリーム（ＴＳ）を得る。
【００６５】
多重分離部２０２は、トランスポートストリームをデマルチプレクスし、ＰＳＩ等の制御情報ストリーム、ユーザにより選択された番組に対応する映像ストリーム、音声ストリームなどを分離する。多重分離部２０２は、制御情報ストリームを制御情報管理部２０３へ出力し、映像ストリームを復号処理部２０４へ出力する。
【００６６】
制御情報管理部２０３は、リモコン５０を介して、ユーザから番組の選択を受け付ける。また、制御情報管理部２０３は、多重分離部２０２から制御情報ストリームを受け取る。制御情報ストリームには、選択された番組が含まれるエレメンタリストリームを指定するためのストリーム情報（例えばＩＤ）が記載されている。そこで、制御情報管理部２０３は、選択された番組が含まれるエレメンタリストリームのＩＤを多重分離部２０２に通知することにより、多重分離部２０２に、通知したＩＤが付与されたエレメンタリストリームのデマルチプレクスを依頼する。また、制御情報管理部２０３は、制御情報ストリームから、選択された番組に対応する重要フラグ及び付加情報を抽出して、復号処理部２０４へ出力する。
【００６７】
復号処理部２０４は、図１０に示すように、２Ｄ／３Ｄ判断部２１１、切替部２１２、２Ｄ復号部２１３、３Ｄ復号部２１４及び出力制御部２１５を含む。
【００６８】
２Ｄ／３Ｄ判断部２１１は、多重分離部２０２から受け取った映像ストリームに含まれる各番組を２Ｄ復号部２１３及び３Ｄ復号部２１４へ振り分けるために、各番組の３Ｄフラグを参照し、各番組が２Ｄ番組であるか３Ｄ番組であるか判断する。２Ｄ／３Ｄ判断部２１１は、各番組を判断結果と共に切替部２１２へ出力する。
【００６９】
切替部２１２は、２Ｄ／３Ｄ判断部２１１の接続先を２Ｄ復号部２１３又は３Ｄ復号部２１４に切り替える機能を有する。切替部２１２は、２Ｄ／３Ｄ判断部２１１から２Ｄ番組を受け取ると、２Ｄ／３Ｄ判断部２１１と２Ｄ復号部２１３とを接続し、受け取った２Ｄ番組を２Ｄ復号部２１３へ出力する。切替部２１２は、２Ｄ／３Ｄ判断部２１１から３Ｄ番組を受け取ると、２Ｄ／３Ｄ判断部２１１と３Ｄ復号部２１４とを接続し、受け取った３Ｄ番組を３Ｄ復号部２１４へ出力する。
【００７０】
２Ｄ復号部２１３は、送信装置１０の２Ｄ符号化部１０２による符号化処理に対応する復号処理を行う。
【００７１】
３Ｄ復号部２１４は、送信装置１０の３Ｄ符号化部１０３による符号化処理に対応する復号処理を行う。
【００７２】
出力制御部２１５は、２Ｄ復号部２１３から復号された２Ｄ番組を受け取る。また、出力制御部２１５は、３Ｄ復号部２１４から復号された３Ｄ番組を受け取る。出力制御部２１５は、受け取った２Ｄ番組及び３Ｄ番組に対応する重要フラグの値を参照する。受け取った番組が重要番組であり、且つ、重要番組の表示モードが直前に出力した先行番組の表示モードと異なる場合、出力制御部２１５は、重要番組の表示モードを変更する。即ち、出力制御部２１５は、２Ｄ番組を３Ｄ番組に変換したり、復号した３Ｄ番組を２Ｄ番組に変換する。
【００７３】
ＨＤＭＩ送信部２０５は、ＨＤＭＩケーブル４０を接続可能なＨＤＭＩコネクタを含んで構成される。ＨＤＭＩ送信部２０５は、復号処理部２０４から、複数の２Ｄ番組及び／又は３Ｄ番組を含む出力番組を受け取ると、受け取った出力番組を、ＨＤＭＩケーブル４０を介して、デジタルテレビ３０へ送信する。
【００７４】
ここで、図１１を用いて、出力制御部２１５による表示モードの変更について説明する。なお、図１１の横軸は時間である。
【００７５】
（ａ）は、２Ｄ番組を２Ｄ表示モードで表示するときのフレームレートを表している。ＨＤＭＩケーブル４０は、２Ｄ番組を構成する各フレーム（２Ｄ）を、６０ｆｐｓで伝送する。
【００７６】
（ｂ）は、３Ｄ番組を３Ｄ表示モードで表示するときのフレームレートを表している。３Ｄ番組を２Ｄ番組と同じフレームレートで表示するため、ＨＤＭＩケーブル４０は、３Ｄ番組を構成する左目用フレーム（Ｌ）と右目用フレーム（Ｒ）とを交互に、１２０ｆｐｓで伝送する。即ち、３Ｄ表示モードでは、２Ｄ表示モードの２倍のフレームレートでフレームが伝送される。
【００７７】
（ａ）の２Ｄ番組を３Ｄ表示モードに変更する場合、出力制御部２１５は、（ｃ）に示すように、２Ｄ番組を構成している各フレーム（２Ｄ）をコピーして、データ量を２倍にして、視差の無い３Ｄ番組を生成する。ＨＤＭＩケーブル４０は、オリジナルのフレーム（２Ｄ）とコピーしたフレーム（２Ｄ）とを交互に、１２０ｆｐｓで伝送する。
【００７８】
（ｂ）の３Ｄ番組を２Ｄ表示モードに変更する場合、出力制御部２１５は、（ｄ）に示すように、３Ｄ番組を構成している左目用のフレーム（Ｌ）を選択し、右目用のフレームを破棄して、データ量を１／２倍にし、２Ｄ番組を生成する。ＨＤＭＩケーブル４０は、左目用のフレーム（Ｌ）を６０ｆｐｓで伝送する。
＜１−８．デジタルテレビ３０の構成＞
図８に示すように、デジタルテレビ３０は、ＨＤＭＩ受信部３０１、映像表示処理部３０２及び表示部３０３から構成される。
【００７９】
デジタルテレビ３０は、図示されていないプロセッサ、ＲＡＭ、ＲＯＭ、ハードディスクを含む。また、デジタルテレビ３０の各機能ブロックは、ハードウェアとして構成されているか、もしくはプロセッサがＲＯＭやハードディスクに記憶されているコンピュータプログラムを実行することで実現される。
【００８０】
ＨＤＭＩ受信部３０１は、ＨＤＭＩケーブル４０を接続可能なＨＤＭＩコネクタを含んで構成される。ＨＤＭＩ受信部３０１は、ＨＤＭＩケーブル４０を介して、ＨＤＭＩ送信部２０５から送信された出力番組を受信する。なお、ＨＤＭＩ送信部２０５及びＨＤＭＩ受信部３０１は、送受信している出力番組で表示モードの切り替えが発生すると、出力番組の送受信を停止し、制御信号を送受信して通信モードの再設定を行い、伝送レートを変更する。
【００８１】
映像表示処理部３０２は、内部にフレームバッファを含み、ＨＤＭＩ受信部３０１から出力番組を受け取ると、出力番組に含まれるフレームをフレームバッファに格納する。ここで、フレームバッファは、２Ｄ表示用バッファ及び３Ｄ表示用バッファを含み、更に、３Ｄ表示用バッファは、左目用バッファ及び右目用バッファを含む。
【００８２】
映像表示処理部３０２は、２Ｄ番組のフレームを２Ｄ表示用バッファに格納する。また、映像表示処理部３０２は、３Ｄ番組の左目用フレームを左目用バッファに格納し、右目用フレームを右目用バッファに格納する。
【００８３】
なお、図１１（ｃ）のように、２Ｄ番組から視差の無い３Ｄ番組を生成し、３Ｄ表示モードに変更した場合、映像表示処理部３０２は、オリジナルのフレームを、左目用バッファに格納し、コピーしたフレームを、右目用バッファに格納する。また、図１１（ｄ）のように、３Ｄ番組から２Ｄ番組を生成し、２Ｄ表示モードに変更した場合、映像表示処理部３０２は、左目用フレームを２Ｄ表示用バッファに格納する。
【００８４】
表示部３０３は、一例として液晶ディスプレイである。２Ｄ表示モードのとき、表示部３０３は、２Ｄ番組用バッファからフレームを読み出し、読み出したフレームを表示周期６０Ｈｚで表示する。３Ｄ表示モードのときは、表示部３０３は、左目用バッファ及び右目用バッファから交互に左目用フレーム及び右目用フレームを読み出して、読み出した左目用フレーム及び右目用フレームを表示周期１２０Ｈｚで交互に表示する。
【００８５】
＜１−９．ＢＤレコーダ２０及びデジタルテレビ３０の動作＞
図１２及び図１３は、ＢＤレコーダ２０及びデジタルテレビ３０の動作を示すフローチャートである。
【００８６】
チューナ２０１は、放送番組を受信して、ＴＳに復調する。多重分離部２０２は、ＴＳをデマルチプレクスする（ステップＳ２０）。多重分離部２０２は、分離した映像ストリーム（番組）を順次、復号処理部２０４へ出力する。
【００８７】
復号処理部２０４の２Ｄ／３Ｄ判断部２１１は、３Ｄフラグを参照し、処理対象である番組（ここでは、「対象番組」と記載する。）が２Ｄ番組であるか３Ｄ番組であるか判断する（ステップＳ２１）。３Ｄフラグが「０」の場合、対象番組は２Ｄ番組である。３Ｄフラグが「１」の場合、対象番組は３Ｄ番組である。
【００８８】
対象番組が２Ｄ番組である場合（ステップＳ２２で「２Ｄ」）、２Ｄ復号部２１３にて復号処理を行う（ステップＳ２３）。対象番組が３Ｄ番組である場合（ステップＳ２２で「３Ｄ」）、３Ｄ復号部２１４にて復号処理を行う（ステップＳ２４）。
【００８９】
出力制御部２１５は、先行番組と対象番組とにおいて表示モードの切り替えが発生するか否か判断する。例えば、先行番組が２Ｄ番組であり、対象番組が３Ｄ番組である場合、及び、先行番組が３Ｄ番組であり、対象番組が２Ｄ番組である場合には、表示モードの切り替えが発生する。
【００９０】
表示モードの切り替えが発生しない場合（ステップＳ２５でＮＯ）、ステップＳ４５へ進む。
【００９１】
表示モードの切り替えが発生する場合（ステップＳ２５でＹＥＳ）、出力制御部２１５は、対象番組の重要フラグを参照し（ステップＳ２６）、対象番組が重要番組であるか否か判断する。具体的に、重要フラグが「１」の場合、対象番組は重要番組である。一方、重要フラグが「０」の場合、対象番組は、重要番組でない。
【００９２】
対象番組が重要番組でない場合（ステップＳ２７でＮＯ）、ステップＳ４１へ進む。
【００９３】
対象番組が重要番組であり（ステップＳ２７でＹＥＳ）、且つ、２Ｄ番組の場合（ステップＳ２８で「２Ｄ」）、出力制御部２１５は、対象番組に含まれるオリジナルの２Ｄ画像をコピーし（ステップＳ２９）、３Ｄ表示モードで出力可能な、視差のない３Ｄ番組を生成する（ステップＳ３０）。その後、ステップＳ４５へ進む。
【００９４】
対象番組が重要番組であり（ステップＳ２７でＹＥＳ）、且つ、３Ｄ番組の場合（ステップＳ２８で「３Ｄ」）、出力制御部２１５は、対象番組に対応する付加情報１４００を参照し（ステップＳ３１）、左目用のフレーム及び右目用のフレームの何れか一方を選択する（ステップＳ３２）。アディショナルビュービデオストリームに付与された付加情報１４００のフラグ１４０２がライトビュービデオストリームを示し、且つ、フラグ１４０５が「偽」に設定されている場合、出力制御部２１５は、左目用のフレームを選択する。出力制御部２１５は、ステップＳ３２で選択された一方のフレームのみＨＤＭＩ送信部２０５へ出力し、選択されなかった他方のフレームを破棄することにより２Ｄ表示モードで出力可能な２Ｄ番組を生成する（ステップＳ３３）。その後、ステップＳ３４へ進む。
【００９５】
表示モードの切り替えが発生し、且つ、対象番組が重要番組でない場合には、ＨＤＭＩ送信部２０５は、通信モードの再設定を行い、伝送レートを変更する（ステップＳ４１）。そして、ＨＤＭＩ送信部２０５は、デジタルテレビ３０のＨＤＭＩ受信部３０１に対して、伝送レートの変更通知を送信する（ステップＳ４２）。
【００９６】
ＨＤＭＩ受信部３０１は、変更通知を受信すると、通信モードの再設定を行い、伝送レートを変更する（ステップＳ４３）。そして、ＨＤＭＩ送信部２０５に対して、伝送レート変更の完了通知を送信する（ステップＳ４４）。
【００９７】
ＨＤＭＩ送信部２０５は、完了通知を受信すると、ＨＤＭＩケーブル４０へ対象番組を出力する（ステップＳ４５）。ＨＤＭＩ受信部３０１は、ＨＤＭＩケーブル４０を介して、対象番組を受信する（ステップＳ４６）。映像表示処理部３０２は、ＨＤＭＩ受信部３０１から対象番組を受け取ると、表示部３０３へ出力する。表示部３０３は、対象番組を表示する（ステップＳ４７）。
【００９８】
ここで、具体的に、図８に記載のＴＳ１１００を受信したときのＢＤレコーダ２０の処理について説明する。
【００９９】
復号処理部２０４は、先ず、先頭の３Ｄ番組１１０２を復号する。その結果、出力番組１６００の区間４０１のような画像列になる。次に、復号処理部２０４は、２Ｄ番組１１０４を復号する。重要フラグ１１０３の値は「１」であるから、２Ｄ番組１１０４は、重要番組である。２Ｄ番組１１０４をこのままの状態で出力すると、先行番組である３Ｄ番組１１０２との間で表示モードの切り替えが発生する。そこで、出力制御部２１５は、２Ｄ番組１１０４を構成する２Ｄ画像をコピーして、視差の無い３Ｄ番組を生成する。その結果、出力番組１６００の区間４０２のような画像列となる。次に、復号処理部２０４は、２Ｄ番組１１０６を復号する。重要フラグ１１０５の値は「０」であるから、２Ｄ番組１１０６は重要番組ではない。そこで、２Ｄ番組１１０６は、２Ｄ表示モードで出力する。その結果、出力番組１６００の区間４０３のような画像列となる。
【０１００】
出力番組１６００の区間４０１と区間４０２とでは、フレームレートが同じである。そこで、ＨＤＭＩ送信部２０５とＨＤＭＩ受信部３０１との間で通信モードの再設定を行う必要がない。
【０１０１】
出力番組１６００の区間４０２と区間４０３とではフレームレートが異なる。そのため、フレームレートが切り替わるときに、ＨＤＭＩ送信部２０５とＨＤＭＩ受信部３０１との間で通信モードの再設定を行う。これにより、ＨＤＭＩケーブル４０によるデータ伝送処理は数秒間途切れ、２Ｄ番組１１０６の先頭の一部は、表示部３０３に表示されない可能性がある。
【０１０２】
続いて、図９に記載のＴＳ１２００を受信したときのＢＤレコーダ２０の処理について説明する。
【０１０３】
復号処理部２０４は、先ず、先頭の２Ｄ番組１２０２を復号する。その結果、出力番組１７００の区間４１１のような画像列になる。次に、復号処理部２０４は、３Ｄ番組１２０４を復号する。重要フラグ１２０３の値は「１」であるから、３Ｄ番組１２０４は、重要番組である。３Ｄ番組１２０４をこのままの状態で出力すると、先行番組である２Ｄ番組１２０２との間で表示モードの切り替えが発生する。そこで、出力制御部２１５は、３Ｄ番組１２０４を構成する左目画像及び右目画像のうち左目画像のみ選択して、２Ｄ番組を生成する。その結果、出力番組１７００の区間４１２のような画像列となる。次に、復号処理部２０４は、３Ｄ番組１２０６を復号する。重要フラグ１２０５の値は「０」であるから、３Ｄ番組１１０６は重要番組ではない。そこで、３Ｄ番組１２０６は、３Ｄ表示モードで出力する。その結果、出力番組１７００の区間４１３のような画像列となる。
【０１０４】
出力番組１７００の区間４１１と区間４１２とでは、フレームレートが同じである。そこで、ＨＤＭＩ送信部２０５とＨＤＭＩ受信部３０１との間で通信モードの再設定を行う必要がない。
【０１０５】
出力番組１７００の区間４１２と区間４１３とではフレームレートが異なる。そのため、フレームレートが切り替わるときに、ＨＤＭＩ送信部２０５とＨＤＭＩ受信部３０１との間で通信モードの再設定を行う。これにより、ＨＤＭＩケーブル４０によるデータ伝送処理は数秒間途切れ、３Ｄ番組１２０６の先頭の一部は、表示部３０３に表示されない可能性がある。
＜２．実施の形態２＞
ここでは、本発明の実施の形態２である映像処理システムについて図面を参照しながら説明する。
＜２−１．システムの概要＞
実施の形態２に係る映像処理システムは、送信装置１０ａ、ＢＤレコーダ２０ａ、デジタルテレビ３０ａ、ＨＤＭＩケーブル４０、リモコン５０及び３Ｄ眼鏡６０から構成される。
【０１０６】
上記の実施の形態１では、重要番組を送信する際にＨＤＭＩケーブル４０の伝送レートの切り替えが発生するのを抑制するため、ＢＤレコーダ２０が、２Ｄ番組を３Ｄ番組に変換したり、３Ｄ番組を２Ｄ番組に変換する機能を有していた。これに対し、実施の形態２では、送信装置１０ａが、２Ｄ番組を３Ｄ番組に変換したり、３Ｄ番組を２Ｄ番組に変換する機能を有する。
＜２−２．送信装置１０ａの構成＞
図１４は、送信装置１０ａの構成を示すブロック図である。同図に示すように、送信装置１０ａは、入力部１０１、制御部１２０、２Ｄ符号化部１０２、３Ｄ符号化部１０３ａ、多重化部１０５及びストリーム送信部１０６から構成される。また、３Ｄ符号化部１０３ａは、２Ｄフラグ生成部１３０を含む。ここで、実施の形態１の送信装置１０と同様の機能を有する構成要素には、送信装置１０と同一の符号を付している。
【０１０７】
なお、送信装置１０ａは、図示されていないプロセッサ、ＲＡＭ、ＲＯＭ、ハードディスクを含む。また、送信装置１０ａの各機能ブロックは、ハードウェアとして構成されているか、もしくはプロセッサがＲＯＭやハードディスクに記憶されているコンピュータプログラムを実行することで実現される。
【０１０８】
制御部１２０は、入力部１０１から２Ｄ番組及び３Ｄ番組を複数含む放送番組と、当該放送番組の構成が記載された番組情報を受け取る。
【０１０９】
制御部１２０は、番組情報を参照し、重要番組を特定し、特定した重要番組の表示形態と直前に出力される先行番組の表示形態とを確認する。制御部１２０は、重要番組の表示形態と先行番組の表示形態とが異なる場合には、受信側で重要番組を表示する際に表示モードの切り替えが発生するのを抑制するために、２Ｄ番組を３Ｄ番組に変更したり、３Ｄ番組を２Ｄ番組に変更する機能を有する。
【０１１０】
２Ｄ符号化部１０２は、制御部１２０から２Ｄ番組を受け取り、受け取った２Ｄ番組を、２Ｄ符号化方式を用いて符号化する。ここで、２Ｄ符号化部１０２が符号化する２Ｄ番組には、番組制作装置により生成された２Ｄ番組と、制御部１２０により３Ｄ番組から生成された２Ｄ番組とが含まれる。
【０１１１】
３Ｄ符号化部１０３ａは、制御部１２０から３Ｄ番組を受け取り、受け取った３Ｄ番組を、３Ｄ符号化方式を用いて符号化する。ここで、３Ｄ符号化部１０３ａが符号化する３Ｄ番組には、番組制作装置により生成された３Ｄ番組と、制御部１２０により２Ｄ番組から生成された視差の無い３Ｄ番組とが含まれる。３Ｄ符号化部１０３ａは、制御部１２０から３Ｄ番組を受け取る際に、当該３Ｄ番組が２Ｄ番組から生成された視差の無いものである場合には、制御部１２０からその旨を通知される。
【０１１２】
２Ｄフラグ生成部１３０は、３Ｄ符号化部１０３ａにより符号化された３Ｄ番組が２Ｄ番組から生成された視差の無いものであるか否かを示す２Ｄフラグを生成する。２Ｄフラグ生成部１３０は、符号化された３Ｄ番組が２Ｄ番組から生成された視差の無いものである場合には、２Ｄフラグ「１」を生成する。一方、２Ｄフラグ生成部１３０は、符号化された３Ｄ番組が２Ｄ番組から生成されたものでない場合には、２Ｄフラグ「０」を生成する。２Ｄフラグは、受信側で冗長なフレームを削除するために用いられる。
【０１１３】
３Ｄ符号化部１０３ａは、符号化された３Ｄ番組に２Ｄフラグを付加して多重化部１０５へ出力する。
【０１１４】
なお、実施の形態２及び後述する実施の形態３では、受信側で３Ｄ番組を３Ｄ番組に変換する処理が行われることがないので、３Ｄ符号化部１０３ａは、付加情報１４００を生成する必要はない。
【０１１５】
図１４に記載のＴＳ２１００は、ストリーム送信部１０６から送信されるトランスポートストリームを簡略化して記載したものである。２Ｄ番組２１０１が先頭の番組である。２Ｄ番組２１０１に続いて、３Ｄ番組２１０３、２Ｄ番組２１０５、・・・の順序で送信される。２Ｄフラグ２１０２は、３Ｄ番組２１０３に対応する。２Ｄフラグ２１０２の値は「１」であるから、３Ｄ番組２１０３は、本来は２Ｄ番組であるが、制御部１２０によって生成された視差の無い３Ｄ番組である。２Ｄフラグ２１０４は、３Ｄ番組２１０５に対応する。２Ｄフラグ２１０４の値は「０」であるから、３Ｄ番組２１０５は、制御部１２０により２Ｄ番組から生成された視差の無い３Ｄ番組ではない。
＜２−３．送信装置１０ａの動作＞
ここでは、図１５に示すフローチャートを用いて、送信装置１０ａの動作について説明する。
【０１１６】
入力部１０１は、処理対象である番組（ここでは、「対象番組」と記載する。）の入力を受け付ける（ステップＳ５１）。対象番組とは、放送番組を構成する２Ｄ番組又は３Ｄ番組である。入力部１０１は、受け付けた対象番組を、制御部１２０へ渡す。なお、入力部１０１は、ステップＳ５１の前に、当該放送番組に対応する番組情報の入力を受け付け、受け付けた番組情報を制御部１２０へ渡しているものとする。
【０１１７】
制御部１２０は、対象番組を受け取ると、番組情報の「表示形態」参照し、対象番組が２Ｄ番組であるか３Ｄ番組であるか判断する。
【０１１８】
対象番組が２Ｄ番組である場合（ステップＳ５２で「２Ｄ」）、制御部１２０は、番組情報の「表示形態」を参照し、対象番組の直前に出力される先行番組が２Ｄ番組であるか３Ｄ番組であるか判断する。更に、制御部１２０は、判断結果に応じて、受信側で表示モードの切り替えが発生する否か判断する。
【０１１９】
先行番組が２Ｄ番組である場合、受信側で表示モードの切り替えは発生しない（ステップＳ５３でＮＯ）。そこで、制御部１２０は、対象番組を、そのまま２Ｄ符号化部１０２へ出力する。その後、ステップＳ６０へ進む。
【０１２０】
先行番組が３Ｄ番組である場合、受信側で表示モードの切り替えが発生する（ステップＳ５３でＹＥＳ）。そこで、制御部１２０は、番組情報の「重要度」を参照し、対象番組が重要番組であるか否か判断する。
【０１２１】
対象番組が重要番組でない場合（ステップＳ５５でＮＯ）、表示モードの切り替えが発生しても問題ない。そこで、制御部１２０は、対象番組を２Ｄ符号化部１０２へ出力する。その後、ステップＳ６０へ進む。
【０１２２】
対象番組が重要番組である場合（ステップＳ５５でＹＥＳ）、表示モードの切り替えが発生すると問題である。そこで、制御部１２０は、対象番組に含まれる２Ｄ画像をコピーし（ステップＳ５６）、３Ｄ表示モードで出力可能な、視差のない３Ｄ番組を生成する（ステップＳ５７）。制御部１２０は、視差のない３Ｄ番組を３Ｄ符号化部１０３ａへ出力する。
【０１２３】
３Ｄ符号化部１０３ａは、対象番組を受け取ると、受け取った対象番組を符号化し、ベースビュービデオストリーム及びアディショナルビュービデオストリームを生成する（ステップＳ５８）。続いて、２Ｄフラグ生成部１３０は、２Ｄフラグとして「１」を生成し（ステップＳ５８）。符号化された３Ｄ番組に付加する。その後は、実施の形態１のステップＳ１０以降と同様である。
【０１２４】
２Ｄ符号化部１０２は、対象番組を受け取り、受け取った対象番組を符号化する（ステップＳ６０）。その後は、実施の形態１のステップＳ１０以降と同様である。
【０１２５】
対象番組が３Ｄ番組である場合（ステップＳ５２で「３Ｄ」）、制御部１２０は、番組情報の「表示形態」を参照し、対象番組の直前に出力される先行番組が２Ｄ番組であるか３Ｄ番組であるか判断する。更に、制御部１２０は、判断結果に応じて、受信側で表示モードの切り替えが発生する否か判断する。
【０１２６】
先行番組が２Ｄ番組である場合、受信側で表示モードの切り替えが発生する（ステップＳ６１でＹＥＳ）。そこで、制御部１２０は、番組情報の「重要度」を参照し、対象番組が重要番組であるか否か判断する。
【０１２７】
対象番組が重要番組でない場合（ステップＳ６３でＮＯ）、表示モードの切り替えが発生しても問題ない。そこで、制御部１２０は、対象番組を３Ｄ符号化部１０２へ出力する。その後、ステップＳ６７へ進む。
【０１２８】
対象番組が重要番組である場合（ステップＳ６３でＹＥＳ）、表示モードの切り替えが発生すると問題である。そこで、制御部１２０は、対象番組に含まれる左目用画像のみを選択し、２Ｄ符号化部１０２へ出力する。
【０１２９】
２Ｄ符号化部１０２は、制御部１２０から左目用画像を受け取り、受け取った左目用画像を符号化する（ステップＳ６５）。その後は、実施の形態１のステップＳ１０以降と同様である。
【０１３０】
先行番組が３Ｄ番組である場合、受信側で表示モードの切り替えは発生しない（ステップＳ６１でＮＯ）。そこで、制御部１２０は、対象番組を、そのまま３Ｄ符号化部１０３ａへ出力する。
【０１３１】
３Ｄ符号化部１０３ａは、対象番組を符号化し、ベースビュービデオストリーム及びアディショナルビュービデオストリームを生成する（ステップＳ６６）。続いて、２Ｄフラグ生成部１３０は、２Ｄフラグとして「０」を生成し（ステップＳ６７）。符号化された３Ｄ番組に付加する。その後は、実施の形態１のステップＳ１０以降と同様である。
＜２−４．ＢＤレコーダ２０ａの構成＞
図１６は、ＢＤレコーダ２０ａ及びデジタルテレビ３０ａの構成を示すブロック図である。
【０１３２】
図１６に示すように、ＢＤレコーダ２０ａは、チューナ２０１、多重分離部２０２、制御情報管理部２０３、復号処理部２０４ａ及びＨＤＭＩ送信部２０５ａから構成される。
【０１３３】
ＢＤレコーダ２０ａは、図示されていないプロセッサ、ＲＡＭ、ＲＯＭ、ハードディスクを含む。また、ＢＤレコーダ２０ａの各機能ブロックは、ハードウェアとして構成されているか、もしくはプロセッサがＲＯＭやハードディスクに記憶されているコンピュータプログラムを実行することで実現される。
【０１３４】
チューナ２０１、多重分離部２０２、制御情報管理部２０３は、それぞれ、実施の形態１と同様である。
【０１３５】
ここでは、図１７を用いて、復号処理部２０４ａ及びＨＤＭＩ送信部２０５ａについて説明する。復号処理部２０４ａは、図１７に示すように、２Ｄ／３Ｄ判断部２１１、切替部２１２、２Ｄ復号部２１３、３Ｄ復号部２１４及び出力部２１５ａを含む。また、ＨＤＭＩ送信部２０５ａは、冗長フラグ生成部２１６を含む。
【０１３６】
２Ｄ／３Ｄ判断部２１１、切替部２１２、２Ｄ復号部２１３及び３Ｄ復号部２１４は、実施の形態１と同様である。
【０１３７】
実施の形態１の出力制御部２１５は、２Ｄ番組を３Ｄ番組に変換したり、復号した３Ｄ番組を２Ｄ番組に変換する機能を有していた。しかし、実施の形態２では、送信装置１０ａによって、既に、２Ｄ番組を３Ｄ番組に変換したり、３Ｄ番組を２Ｄ番組に変換する処理が行われている。従って、実施の形態２の出力部２１５ａは、２Ｄ復号部２１３により復号された２Ｄ番組を３Ｄ番組に変換したり、３Ｄ復号部２１４により復号された３Ｄ番組を２Ｄ番組に変換する機能を有していない。出力部２１５ａは、単に、２Ｄ復号部２１３から受け取る２Ｄ番組及び３Ｄ復号部２１４から受け取る３Ｄ番組を、ＨＤＭＩ送信部２０５ａへ出力する機能を有する。
【０１３８】
実施の形態２のＨＤＭＩ送信部２０５ａは、実施の形態１のＨＤＭＩ送信部２０５と同様に、ＨＤＭＩケーブル４０で接続されたデジタルテレビ３０ａに、復号されたフレームを送信する機能を有する。その際、冗長フラグ生成部２１６は、送信するフレームが、２Ｄ番組のフレームレートを２倍にするために、オリジナルの２Ｄ画像をコピーして生成されたフレームである場合、本来はデジタルテレビ３０ａで表示する必要のない冗長なフレームであることを示す冗長フラグを付与する。
【０１３９】
具体的に、冗長フラグ生成部２１６は、３Ｄ番組に付与された２Ｄフラグを用いて、冗長なフレームとそれ以外のフレームとを判別する。そして、冗長フラグ生成部２１６は，冗長なフレームに冗長フラグ「１」を付与し、その他のフレームに冗長フラグ「０」を付与する。冗長フラグは、例えば、ＨＤＭＩ規格に準拠した通信方式のフレームのヘッダ等に格納されてデジタルテレビ３０ａへ送信される。
＜２−５．デジタルテレビ３０ａの構成＞
図１６に示すように、デジタルテレビ３０ａは、ＨＤＭＩ受信部３０１、映像表示処理部３０２ａ及び表示部３０３から構成される。
【０１４０】
デジタルテレビ３０ａは、図示されていないプロセッサ、ＲＡＭ、ＲＯＭ、ハードディスクを含む。また、デジタルテレビ３０ａの各機能ブロックは、ハードウェアとして構成されているか、もしくはプロセッサがＲＯＭやハードディスクに記憶されているコンピュータプログラムを実行することで実現される。
【０１４１】
ＨＤＭＩ受信部３０１及び表示部３０３は、実施の形態１と同様である。
【０１４２】
映像表示処理部３０２ａは、実施の形態１の映像表示処理部３０２と同様に、内部にフレームバッファを含み、ＨＤＭＩ受信部３０１から出力番組を受け取ると、出力番組に含まれるフレームをフレームバッファに格納する機能を有する。
【０１４３】
実施の形態２では、各フレームのヘッダに冗長フラグが格納されている。そこで、映像表示処理部３０２ａは、受け取ったフレームの冗長フラグの値が「１」である場合には、本来はデジタルテレビ３０ａで表示する必要のない冗長なフレームであることから、受け取ったフレームをフレームバッファに格納せず削除する機能を有する。
＜２−６．ＢＤレコーダ２０ａ及びデジタルテレビ３０ａの動作＞
図１８及び図１９は、ＢＤレコーダ２０ａ及びデジタルテレビ３０ａの動作を示すフローチャートである。
【０１４４】
チューナ２０１は、放送番組を受信して、ＴＳに復調する。多重分離部２０２は、ＴＳをデマルチプレクスする（ステップＳ７０）。多重分離部２０２は、分離した映像ストリーム（番組）を順次、復号処理部２０４へ出力する。
【０１４５】
復号処理部２０４ａの２Ｄ／３Ｄ判断部２１１は、３Ｄフラグを参照し、処理対象である番組（ここでは、「対象番組」と記載する。）が２Ｄ番組であるか３Ｄ番組であるか判断する（ステップＳ７１）。３Ｄフラグが「０」の場合、対象番組は２Ｄ番組である。３Ｄフラグが「１」の場合、対象番組は３Ｄ番組である。
【０１４６】
対象番組が２Ｄ番組である場合（ステップＳ７２で「２Ｄ」）、２Ｄ復号部２１３にて復号処理を行う（ステップＳ７３）。その後、ステップＳ７９へ進む。
【０１４７】
対象番組が３Ｄ番組である場合（ステップＳ７２で「３Ｄ」）、３Ｄ復号部２１４にて復号処理を行う（ステップＳ７４）。ＨＤＭＩ送信部２０５ａは、出力部２１５ａを介して復号された対象番組を受け取ると、当該対象番組に付与された２Ｄフラグの値を読む（ステップＳ７５）。
【０１４８】
２Ｄフラグの値が「１」の場合（ステップＳ７６で「１」）、対象番組は、本来は２Ｄ番組であり、冗長なフレームを含む３Ｄ番組である。そこで、ＨＤＭＩ送信部２０５ａは、対象番組を構成する複数のフレームに対し、先頭のフレームから順に、冗長フラグ「０
」、「１」、「０」、「１」、・・・と交互に付与する（ステップＳ７７）。その後、ステップＳ７９へ進む。
【０１４９】
２Ｄフラグの値が「０」の場合（ステップＳ７６で「０」）、対象番組は、冗長なフレームを含まない３Ｄ番組である。そこで、ＨＤＭＩ送信部２０５ａは、対象番組に含まれるすべてのフレームに、冗長フラグ「０」を付与する（ステップＳ７８）。
【０１５０】
ＨＤＭＩ送信部２０５ａは、表示モードの切り替えが発生するか否か判断する。先行番組が２Ｄ番組であり、対象番組が３Ｄ番組である場合、及び、先行番組が３Ｄ番組であり、対象番組が２Ｄ番組である場合には、表示モードの切り替えが発生する。
【０１５１】
表示モードの切り替えが発生しない場合（ステップ７９でＮＯ）、ステップＳ８４へ進む。
【０１５２】
表示モードの切り替えが発生する場合（ステップＳ７９でＹＥＳ）、ＨＤＭＩ送信部２０５ａは、通信モードの再設定を行い、伝送レートを変更する（ステップＳ８０）。そして、ＨＤＭＩ送信部２０５ａは、デジタルテレビ３０ａのＨＤＭＩ受信部３０１に対して、伝送レートの変更通知を送信する（ステップＳ８１）。
【０１５３】
ＨＤＭＩ受信部３０１は、変更通知を受信すると、通信モードの再設定を行い、伝送レートを変更する（ステップＳ８２）。そして、ＨＤＭＩ送信部２０５ａに対して、伝送レート変更の完了通知を送信する（ステップＳ８３）。
【０１５４】
ＨＤＭＩ送信部２０５ａは、完了通知を受信すると、対象番組をＨＤＭＩケーブル４０へ出力する（ステップＳ８４）。ＨＤＭＩ受信部３０１は、ＨＤＭＩケーブル４０を介して、対象番組を受信する（ステップＳ８５）。
【０１５５】
映像表示処理部３０２ａは、ＨＤＭＩ受信部３０１から対象番組を受け取ると、対象番組を構成する各フレームのヘッダに冗長フラグが格納されているか否か判断する。対象番組が２Ｄ番組の場合、フレームのヘッダには冗長フラグは格納されていない。対象番組が３Ｄ番組の場合、フレームのヘッダには冗長フラグが格納されている。
【０１５６】
ヘッダに冗長フラグが格納されていない場合（ステップＳ８６でＮＯ）、映像表示処理部３０２ａは、対象番組をフレームバッファに格納する。
【０１５７】
ヘッダに冗長フラグが格納されている場合（ステップＳ８６でＹＥＳ）、映像表示処理部３０２ａは、対象番組を構成する各フレームについてステップＳ８７及びステップＳ８８の処理を繰り返す。
【０１５８】
冗長フラグの値が「０」の場合、即ち、冗長なフレームでなければ、映像表示処理部３０２ａは、当該フレームをフレームバッファに格納する。冗長フラグの値が「１」の場合、即ち、冗長なフレームであれば、映像表示処理部３０２ａは、当該フレームをフレームバッファに格納せずに削除する（ステップＳ８８）。
【０１５９】
表示部３０３は、フレームバッファに格納されたフレームを順次表示する（ステップＳ８９）。
【０１６０】
ここで、具体的に、図１６に記載のＴＳ２１００を受信したときのＢＤレコーダ２０ａ及びデジタルテレビ３０ａの処理について説明する。
【０１６１】
ＴＳ２１００は、３Ｄ番組２１０３及び３Ｄ番組２１０５を含み、３Ｄ番組２１０３、３Ｄ番組２１０５、・・・の順序でデジタルテレビ３０ａへ出力される。２Ｄフラグ２１０２は、３Ｄ番組２１０３に対応する。２Ｄフラグ２１０２の値は「１」であるから、３Ｄ番組２１０３は、先行番組である３Ｄ番組２１０１（図１４参照）との関係で表示モードの変更が発生するのを抑制するために、２Ｄ番組から生成された視差の無い３Ｄ番組である。３Ｄ番組２１０３は、冗長なフレームを含む。２Ｄフラグ２１０４は、３Ｄ番組２１０５に対応する。２Ｄフラグ２１０４の値は「０」であるから、３Ｄ番組２１０５は、冗長なフレームを含まない。
【０１６２】
ＨＤＭＩ送信部２０５ａは、復号処理部２０４ａから、復号された３Ｄ番組２１０３を受け取る。２Ｄフラグ２１０２の値は「１」であるから、ＨＤＭＩ送信部２０５ａは、冗長フラグ「０」と「１」とを交互に付与する。そこで、３Ｄ番組２１０３は、出力番組２２００の区間４２１のような画像列になる。先頭のフレームに付与された冗長フラグ４３１の値は「０」であり、２番目のフレームに付与された冗長フラグ４３２の値は「１」である。
【０１６３】
次に、ＨＤＭＩ送信部２０５ａは、復号処理部２０４ａから、復号された３Ｄ番組２１０５を受け取る。２Ｄフラグ２１０４の値は「０」であるから、ＨＤＭＩ送信部２０５ａは、冗長フラグ「０」を付与する。そこで、３Ｄ番組２１０５は、出力番組２２００の区間４２２のような画像列になる。
【０１６４】
映像表示処理部３０２ａは、出力番組２２００を受け取ると、冗長フラグ「１」が付与されたフレームを削除する。その結果、表示部３０３は、図１６に示すような表示番組２３００を表示する。表示番組２３００の区間４４１は、２Ｄ番組として、表示周期６０Ｈｚで表示される。区間４４２は、３Ｄ番組として表示周期１２０Ｈｚで表示される。
【０１６５】
このように、実施の形態２では、送信装置１０ａが２Ｄフラグを付与することにより、受信側で冗長なフレームを削除することが可能となる。これにより、視差の無い３Ｄ番組を表示する際に生じる「ちらつき」を防止することができる。更に、デジタルテレビ３０ａの消費電力を抑制することができる。
＜３．実施の形態３＞
ここでは、本発明の実施の形態３である映像処理システムについて図面を参照しながら説明する。
＜３−１．システムの概要＞
実施の形態３に係る映像処理システムは、送信装置１０ｂ、ＢＤレコーダ２０ｂ、デジタルテレビ３０ｂ、ＨＤＭＩケーブル４０、リモコン５０及び３Ｄ眼鏡６０から構成される。
【０１６６】
実施の形態３では、上記の実施の形態２と同様、重要番組を送信する際にＨＤＭＩケーブル４０の伝送レートの切り替えが発生するのを抑制するため、送信装置１０ａが、２Ｄ番組を３Ｄ番組に変換したり、３Ｄ番組を２Ｄ番組に変換する機能を有する。そして、送信装置１０ｂは、送信装置１０ａと同様、２Ｄフラグを生成する機能を有する。
【０１６７】
更に、実施の形態３では、上記の実施の形態１と同様に、送信装置１０ｂは、放送番組の番組情報を参照し、各番組（２Ｄ番組又は３Ｄ番組）が重要番組であるか否か判断し、重要フラグを生成する機能を有するが、実施の形態３では、受信側での重要フラグの利用方法が実施の形態１とは異なる。
【０１６８】
ＢＤレコーダ２０ｂは、実施の形態２のＢＤレコーダ２０ａと同様に、ＨＤＭＩフレームをデジタルテレビ３０ｂへ送信する際に冗長フラグを生成する。このとき、ＢＤレコーダ２０ｂは、２Ｄフラグ及び重要フラグの両方を用いて、冗長フラグの値を決定する。実施の形態３では、２Ｄ番組から生成され、冗長なフレームを含む視差の無い３Ｄ番組であっても、重要な番組であれば、冗長なフレームを削除せずにデジタルテレビ３０ｂに表示させるように制御する。
＜３−２．送信装置１０ｂの構成＞
図２０は、送信装置１０ｂの構成を示すブロック図である。同図に示すように、送信装置１０ｂは、入力部１０１、制御部１２０、２Ｄ符号化部１０２、３Ｄ符号化部１０３ａ、重要フラグ生成部１０４、多重化部１０５及びストリーム送信部１０６から構成される。また、３Ｄ符号化部１０３ａは、２Ｄフラグ生成部１３０を含む。
【０１６９】
ここで、実施の形態１の送信装置１０と同様の機能を有する構成要素には、送信装置１０と同一の符号を付している。また、実施の形態２の送信装置１０ａと同様の機能を有する構成要素には、送信装置１０ａと同一の符号を付している。
【０１７０】
なお、送信装置１０ｂは、図示されていないプロセッサ、ＲＡＭ、ＲＯＭ、ハードディスクを含む。また、送信装置１０ｂの各機能ブロックは、ハードウェアとして構成されているか、もしくはプロセッサがＲＯＭやハードディスクに記憶されているコンピュータプログラムを実行することで実現される。
【０１７１】
図２０に記載のＴＳ３１００は、ストリーム送信部１０６から送信されるトランスポートストリームを簡略化して記載したものである。３Ｄ番組３１０３が先頭の番組である。３Ｄ番組３１０３に続いて、３Ｄ番組３１０６、３Ｄ番組３１０９、・・・の順序で送信される。
【０１７２】
重要フラグ３１０１及び２Ｄフラグ３１０２は、３Ｄ番組３１０３に対応する。重要フラグ３１０１の値は「０」であるから、３Ｄ番組３１０１は、重要な番組ではない。２Ｄフラグ３１０２の値は「０」であるから、３Ｄ番組３１０１は、制御部１２０により２Ｄ番組から生成された３Ｄ番組ではない。
【０１７３】
重要フラグ３１０４及び２Ｄフラグ３１０５は、３Ｄ番組３１０６に対応する。重要フラグ３１０４の値は「１」であるから、３Ｄ番組３１０６は、重要な番組である。２Ｄフラグ３１０５の値は「１」であるから、３Ｄ番組３１０６は、本来は２Ｄ番組であるが、制御部１２０によって生成された３Ｄ番組である。
【０１７４】
重要フラグ３１０７及び２Ｄフラグ３１０８は、３Ｄ番組３１０９に対応する。重要フラグ３１０７の値は「０」であるから、３Ｄ番組３１０６は、重要な番組ではない。２Ｄフラグ３１０８の値は「１」であるから、３Ｄ番組３１０９は、本来は２Ｄ番組であるが、制御部１２０によって生成された３Ｄ番組である。
＜３−３．送信装置１０ｂの動作＞
ここでは、図２１に示すフローチャートを用いて、送信装置１０ｂの動作について説明する。
【０１７５】
送信装置１０ｂは、図１５のステップＳ５１から、ステップＳ５９、ステップＳ６０、ステップＳ６５及びステップＳ６７まで、実施の形態２の送信装置１０ａと同様の処理を行う。その後、図２１のステップＳ９１へ進む。
【０１７６】
重要フラグ生成部１０４は、制御部１２０から受け取った番組情報を参照し（ステップＳ９１）、対象番組が重要番組であるか否か判断する。ここで、重要フラグ生成部１０４は、対象番組を番組ＩＤにより識別することができる。そこで、重要フラグ生成部１０４は、番組情報から、対象番組の番組ＩＤに対応する重要度を抽出する。重要度が「重要」に設定されている場合、対象番組は重要番組である。重要度が「通常」に設定されている場合、対象番組は重要番組ではない。
【０１７７】
対象番組が重要番組である場合（ステップＳ９２でＹＥＳ）、重要フラグ生成部１０４は、重要フラグとして「１」を生成し（ステップＳ９３）、多重化部１０５へ出力する。
【０１７８】
対象番組が重要番組でない場合（ステップＳ９２でＮＯ）、重要フラグ生成部１０４は、重要フラグとして「０」を生成し（ステップＳ９３）、多重化部１０５へ出力する。
【０１７９】
多重化部１０５は、符号化された２Ｄ番組、符号化された３Ｄ番組、ＰＳＩ、音声ストリーム、その他のマルチメディアストリームを受け取り、これらを多重化してトランスポートストリームを生成する（ステップＳ９５）。
【０１８０】
ストリーム送信部１０６は、多重化部１０５で生成されたトランスポートストリームをデジタル放送波に重畳して送信する（ステップＳ９６）。
０以降と同様である。
＜３−４．ＢＤレコーダ２０ｂの構成＞
図２２は、ＢＤレコーダ２０ｂ及びデジタルテレビ３０ｂの構成を示すブロック図である。
【０１８１】
図２２に示すように、ＢＤレコーダ２０ｂは、チューナ２０１、多重分離部２０２、制御情報管理部２０３、復号処理部２０４ａ及びＨＤＭＩ送信部２０５ｂから構成される。
【０１８２】
ＢＤレコーダ２０ｂは、図示されていないプロセッサ、ＲＡＭ、ＲＯＭ、ハードディスクを含む。また、ＢＤレコーダ２０ｂの各機能ブロックは、ハードウェアとして構成されているか、もしくはプロセッサがＲＯＭやハードディスクに記憶されているコンピュータプログラムを実行することで実現される。
【０１８３】
チューナ２０１、多重分離部２０２及び制御情報管理部２０３は、それぞれ、実施の形態１と同様である。また、復号処理部２０４ａは、実施の形態２と同様である。
【０１８４】
ＨＤＭＩ送信部２０５ｂは、実施の形態２と同様に冗長フラグ生成部を含む。実施の形態３の冗長フラグ生成部は、３Ｄ番組のフレームに冗長フラグを付与する際に、重要フラグ及び２Ｄフラグを用いる。
【０１８５】
具体的に、ＨＤＭＩ送信部２０５ｂは、２Ｄフラグを用いて冗長なフレームとそれ以外のフレームとを判別することができる。更に、ＨＤＭＩ送信部２０５ｂは、重要フラグを用いて、重要な番組を特定することができる。そこで、ＨＤＭＩ送信部２０５ｂは、冗長なフレームを含んでいるが、重要な番組である場合には、デジタルテレビ３０ｂで表示周期の切り替えが発生するのを抑制するために、敢えて冗長フレームを削除しないように、すべてのフレームの冗長フラグを「０」に設定する。
＜３−５．デジタルテレビ３０ｂの構成＞
図２２に示すように、デジタルテレビ３０ｂは、ＨＤＭＩ受信部３０１、映像表示処理部３０２ａ及び表示部３０３から構成される。
【０１８６】
デジタルテレビ３０ｂは、図示されていないプロセッサ、ＲＡＭ、ＲＯＭ、ハードディスクを含む。また、デジタルテレビ３０ｂの各機能ブロックは、ハードウェアとして構成されているか、もしくはプロセッサがＲＯＭやハードディスクに記憶されているコンピュータプログラムを実行することで実現される。
【０１８７】
ＨＤＭＩ受信部３０１及び表示部３０３は、実施の形態１と同様である。映像表示処理部３０２ａは、実施の形態２と同様である。
＜３−６．ＢＤレコーダ２０ｂ及びデジタルテレビ３０ｂの動作＞
図２３は、ＢＤレコーダ２０ｂ及びデジタルテレビ３０ｂの動作を示すフローチャートである。
【０１８８】
チューナ２０１は、放送番組を受信して、ＴＳに復調する。多重分離部２０２は、ＴＳをデマルチプレクスする（ステップＳ１００）。多重分離部２０２は、分離した映像ストリーム（番組）を順次、復号処理部２０４ａへ出力する。
【０１８９】
復号処理部２０４ａの２Ｄ／３Ｄ判断部２１１は、３Ｄフラグを参照し、処理対象である番組（ここでは、「対象番組」と記載する。）が２Ｄ番組であるか３Ｄ番組であるか判断する（ステップＳ１０１）。３Ｄフラグが「０」の場合、対象番組は２Ｄ番組である。３Ｄフラグが「１」の場合、対象番組は３Ｄ番組である。
【０１９０】
対象番組が２Ｄ番組である場合（ステップＳ１０２で「２Ｄ」）、２Ｄ復号部２１３にて復号処理を行う（ステップＳ１０３）。その後は実施の形態２と同様であり、図１８のステップＳ７９へ進む。
【０１９１】
対象番組が３Ｄ番組である場合（ステップＳ１０２で「３Ｄ」）、３Ｄ復号部２１４にて復号処理を行う（ステップＳ１０４）。
【０１９２】
ＨＤＭＩ送信部２０５ｂは、出力部２１５ａを介して復号された対象番組を受け取ると、対象番組に付与された２Ｄフラグの値を読む（ステップＳ１０５）。２Ｄフラグの値が「０」の場合（ステップＳ１０６で「０」）、対象番組は、冗長なフレームを含まない３Ｄ番組であるから、ステップＳ１０９へ進む。
【０１９３】
２Ｄフラグの値が「１」の場合（ステップＳ１０６で「１」）、対象番組は、本来は２Ｄ番組であり、冗長なフレームを含む３Ｄ番組である。続いて、ＨＤＭＩ送信部２０５ｂは、対象番組に付与された重要フラグの値を読む（ステップＳ１０７）。
【０１９４】
重要フラグの値が「１」であり、対象番組が重要番組である場合（ステップ１０８でＹＥＳ）、ＨＤＭＩ送信部２０５ｂは、対象番組に含まれるすべてのフレームに、冗長フラグ「０」を付与する（ステップＳ１０９）。その後は実施の形態２と同様であり、図１８のステップＳ７９へ進む。
【０１９５】
重要フラグの値が「０」であり、対象番組が重要番組でない場合（ステップ１０８でＮＯ）、ＨＤＭＩ送信部２０５ｂは、対象番組を構成する複数のフレームに対し、先頭のフレームから順に、冗長フラグ「０」、「１」、「０」、「１」、・・・と交互に付与する（ステップＳ１１０）。その後は実施の形態２と同様であり、図１８のステップＳ７９へ進む。
【０１９６】
ここで、具体的に、図２２に記載のＴＳ３１００を受信したときのＢＤレコーダ２０ｂ及びデジタルテレビ３０ｂの処理について説明する。
【０１９７】
ＨＤＭＩ送信部２０５ｂは、復号処理部２０４ａから、復号された３Ｄ番組３１０３を受け取る。２Ｄフラグ３１０２の値は「０」であるから、ＨＤＭＩ送信部２０５ｂは、冗長フラグ「０」を付与する。そこで、３Ｄ番組３１０３は、出力番組３２００の区間４５１のような画像列になる。
【０１９８】
次に、ＨＤＭＩ送信部２０５ｂは、復号処理部２０４ａから、復号された３Ｄ番組３１０６を受け取る。２Ｄフラグ３１０５の値は「１」であり、且つ、重要フラグ３１０４の値は「１」であるから、ＨＤＭＩ送信部２０５ｂは、冗長フラグ「０」を付与する。そこで、３Ｄ番組３１０６は、出力番組３２００の区間４５２のような画像列になる。
【０１９９】
次に、ＨＤＭＩ送信部２０５ｂは、復号処理部２０４ａから、復号された３Ｄ番組３１０９を受け取る。２Ｄフラグ３１０８の値は「１」であり、且つ、重要フラグ３１０７の値は「０」であるから、ＨＤＭＩ送信部２０５ｂは、冗長フラグ「０」と「１」とを交互に付与する。そこで、３Ｄ番組３１０９は、出力番組３２００の区間４５３のような画像列になる。
【０２００】
映像表示処理部３０２ａは、出力番組３２００を受け取ると、冗長フラグ「１」が付与されたフレームを削除する。その結果、表示部３０３は、図２２に示すような表示番組３３００を表示する。表示番組３３００の区間４７１は、３Ｄ番組として、表示周期１２０Ｈｚで表示される。重要な区間４７２は、視差の無い３Ｄ番組として表示周期１２０Ｈｚで表示される。区間４７３は、２Ｄ番組として、表示周期６０Ｈｚで表示される。
【０２０１】
即ち、実施の形態３では、重要な区間４７２を表示する際に、デジタルテレビ３０ｂの内部で表示周期の切り替えは発生しない。そのため、実施の形態３では、表示周期の切り替えによって一瞬でも画面がブラックアウトすることを抑制するので、重要な番組を完璧に表示することができる。
＜４．その他の変形例＞
以上、本発明に係る映像処理システムの実施形態を説明したが、例示した映像処理システムを以下のように変形することも可能であり、本発明が上述の実施の形態で示した通りの映像処理システムに限られないことは勿論である。
【０２０２】
（１）上記の実施の形態において、放送番組はデジタル放送波によって送信されるとしたが、本発明はそのような構成に限定されるものではない。放送番組は、インターネット等のネットワークを介して送信され、それをデジタルテレビ、ＢＤレコーダ、パーソナルコンピュータ等の機器が受信して再生する構成でもよい。
【０２０３】
（２）上記の実施の形態２及び実施の形態３において、２Ｄフラグは、Ｈ．２６４規格で規定されるＳＥＩ（Ｓｕｐｐｌｅｍｅｎｔａｌ  Ｅｎｈａｎｃｅｍｅｎｔ  Ｉｎｆｏｒｍａｔｉｏｎ）部に格納されてもいいし、ＭＰＥＧ２規格で規定されるＵｓｅｒＤａｔａ部に格納されてもいいし、ＴＳの付加情報に格納されてもいいし、番組情報に格納されてもよい。
【０２０４】
（３）上記の実施の形態では、重要フラグ及び２Ｄフラグは、放送番組の映像ストリームと同じトランスポートストリームで送信されるとしたが、本発明はそのような構成に限定されるものではない。重要フラグ及び２Ｄフラグは、放送番組のトランスポートストリームとは別経路で送信される構成でもよい。
【０２０５】
（４）上記の実施の形態では、重要番組の表示モードと当該重要番組の直前に出力される先行番組の表示モードとを合わせるために、重要番組の表示モードを変更する構成を有していた。しかし、本発明はこの構成に限定されない。本発明は、重要番組の表示モードと当該重要番組の直前に出力される先行番組の表示モードとを合わせるために、先行番組の表示モードを変更する構成でもよい。
【０２０６】
実施の形態１のように、受信側で表示モードの変更を行う場合には、ＢＤレコーダは、先行番組を出力する前に、当該先行番組の直後に出力される番組が重要番組であるか否かを判断する必要がある。後続する番組が重要番組である場合、且つ、先行番組の表示モードと重要番組の表示モードとが異なる場合には、ＢＤレコーダは、先行番組を３Ｄ番組に変更したり、２Ｄ番組に変更する処理を行う。
【０２０７】
実施の形態２及び実施の形態３のように、送信側で表示モードの変更を行う場合には、送信装置は、番組情報を参照し、先行番組の直後に出力される番組の重要度が「重要」に設定されており、且つ、先行番組の表示形態と重要番組の表示形態とが異なる場合には、先行番組を２Ｄ番組から３Ｄ番組に変更したり、３Ｄ番組から２Ｄ番組に変更する。その後、送信装置は、先行番組の符号化処理を行う。
【０２０８】
（５）図６に記載した番組情報１５００の構成は一例である。例えば、送信装置が、「番組内容」の欄を見て、重要であるか否かの判断を行うことが可能であれば、「重要度」の欄を設ける必要はない。
【０２０９】
（６）上記の実施の形態では、一例として、コマーシャルを「重要番組」と規定し、本編を「通常番組」と規定したが、本発明における重要番組はコマーシャルに限定されないのは勿論である。受信側で途切れたりせずに正常に表示させたい番組であれば、どのような番組を重要番組に規定してもよい。
【０２１０】
（７）上記の実施の形態では、一例として、通常のテレビ放送における『７時のニュース』等の一つのコンテンツに含まれる「本編」及び「コマーシャル」を、それぞれ、一つの「番組」と定義した。しかし、これは一例である。本発明における「番組」は、一つのコンテンツ自体を指してもよいし、ある任意の時間帯に放送される複数のコンテンツを指してもよい。例えば、午前中だけ３Ｄの番組が放送される可能性がある場合には、午前中に放送されるすべてのコンテンツを、本発明の「番組」として定義してもよい。
【０２１１】
（８）上記の実施の形態では、重要フラグ及び２Ｄフラグは、番組単位で付与されていた。しかし、これは一例である。重要フラグ及び２Ｄフラグは、フレーム毎に付与されてもよいし、任意の数のフレーム枚数毎に付与されていてもよいし、任意の長さの再生時間毎に付与されていてもよい。
【０２１２】
（９）上記の実施の形態１では、３Ｄ番組を符号化する際、アディショナルビュービデオストリームは常に縮小して解像度を落としているため、受信側で３Ｄ番組を２Ｄ番組に変換する際には、常にベースビュービデオストリームが選択される構成を有していた。
【０２１３】
しかし、３Ｄ番組を制作する段階における撮影条件（アングル等）等に依って、受信側で３Ｄ番組を２Ｄ番組に変換する際にベースビュービデオストリームを用いるべきでない場合には、縮小画像であるアディショナルビュービデオストリームを用いて２Ｄ表示を行うように構成してもよい。
【０２１４】
また、アディショナルビュービデオストリームが縮小されていても、付加情報１４００の横方向の縮小度合１４０３及び／又は縦方向の縮小度合１４０４の値が大きく、縮小の影響が無視できるような場合には、送信装置１０は、アディショナルビューストリームの付加情報１４００のフラグ１４０５を「真」に設定してもよい。
【０２１５】
上記の実施の形態では、アディショナルビューストリームの付加情報１４００のフラグ１４０５が「偽」の場合、ＢＤレコーダ２０は、２Ｄ表示を行う際に、ベースビュービデオストリームを用いる。また、アディショナルビューストリームの付加情報１４００のフラグ１４０５が「真」の場合、ＢＤレコーダ２０は、２Ｄ表示を行う際、ベースビュービデオストリームを用いてよいし、アディショナルビュービデオストリームを用いてもよい。
【０２１６】
なお、ＢＤレコーダ２０は、必ずしも付加情報１４００のフラグ１４０５を用いて、２Ｄ表示の際にアディショナルビュービデオストリームを用いるか否かを決定する必要はない。例えば、２Ｄ表示モードの際、フラグ１４０５を用いて選択される画像が、短期間に左目用、右目用、左目用、・・・と入れ替わると、画面の揺れの原因となり、好ましくない。
【０２１７】
そこで、一旦アディショナルビュービデオストリームを用いて２Ｄ表示を開始した後は、その後は、付加情報１４００のフラグ１４０５の値に依らず、アディショナルビュービデオストリームを使い続けてもよい。
【０２１８】
また、一旦ベースビュービデオストリームを用いて２Ｄ表示を開始した後は、その後は、付加情報１４００のフラグ１４０５の値に依らず、ベースビュービデオストリームを使い続けてもよい。
【０２１９】
（１０）上記の実施の形態１では、ＢＤレコーダ２０は、３Ｄ番組を２Ｄ表示する際に、付加情報１４００を用いて、ベースビュービデオストリーム及びアディショナルビュービデオストリームのどちらを用いるのかを選択した。
【０２２０】
ここで、ＢＤレコーダ２０が付加情報１４００を用いて以下のような処理を行う場合も本発明に含まれる。
【０２２１】
例えば、デジタルテレビ３０が３Ｄ表示機能を備えていない場合、ＢＤレコーダ２０は、受信した３Ｄ番組に付与された付加情報１４００を用いて、右目画像及び左目画像のどちらをデジタルテレビ３０へ出力するか決定してもよい。
【０２２２】
また、デジタルテレビ３０は３Ｄ表示機能を備えているが、ユーザが３Ｄ表示機能を禁止にしている場合、ＢＤレコーダ２０は、受信した３Ｄ番組に付与された付加情報１４００を用いて、右目画像及び左目画像のどちらをデジタルテレビ３０へ出力するか決定してもよい。
【０２２３】
このように、ＢＤレコーダ２０は、付加情報１４００を用いて右目画像及び左目画像の何れかを選択する構成であればよい。
【０２２４】
（１１）上記の実施の形態では、ＢＤレコーダとデジタルテレビとはＨＤＭＩケーブルで接続されていが、これは一例である。ＢＤレコーダとデジタルテレビとは、ＨＤＭＩ規格に準拠した通信方式でデジタル信号の伝送を行う機能を有していれば無線接続であってもよい。
【０２２５】
（１２）上記の実施の形態では、映像処理システムは、送信装置、ＢＤレコーダ及びデジタルテレビを含む構成であった。
【０２２６】
ここでは、変形例である映像処理システム２について、図２４を用いて説明する。映像処理システム２は、送信装置１０ａ、デジタルテレビ７０、リモコン５０及び３Ｄ眼鏡６０から構成される。
【０２２７】
送信装置１０ａは、実施の形態２（図１４）と同様の機能を有する。デジタルテレビ７０は、図１６に記載の、チューナ２０１、多重分離部２０２、制御情報管理部２０３、復号処理部２０４ａ、映像表示処理部３０２ａ及び表示部３０３から構成される。即ち、デジタルテレビ７０は、受信装置と表示装置とが一体となった装置である。映像処理システム２は、ＨＤＭＩケーブルを介して番組が伝送される構成でないため、ＨＤＭＩの通信モードの再設定は生じない。
【０２２８】
しかしながら、２Ｄ番組と３Ｄ番組とが混在している場合には、デジタルテレビ７０の復号処理部２０４ａにおいて復号方式の切り替えが発生する。復号方式の切り替えにより復号処理が途切れ、表示部３０３による番組の表示が遅れる可能性がある。
【０２２９】
そこで、送信装置１０ａは、実施の形態２と同様に、２Ｄ番組を３Ｄ番組に変換したり、３Ｄ番組を２Ｄ番組に変換する。これにより、重要番組と当該重要番組の直前に出力される先行番組とにおいて、復号方式の切り替えが発生するのを抑制し、表示部３０３による重要番組の表示が遅れる可能性を回避することができる。
【０２３０】
（１３）上記の実施形態では、３Ｄ符号化方式の一例として、Ｈ．２６４ＭＶＣを用いたが、本発明における３Ｄ符号化方式は、Ｈ．２６４ＭＶＣに限定されない。送信装置は、３Ｄ符号化方式として、左目画像及び右目画像を左右に並べるＳｉｄｅ−ｂｙ−Ｓｉｄｅ方式や、左目画像及び右目画像を上下に並べるＴｏｐ  ａｎｄ  Ｂｏｔｔｏｍ方式や、ピクチャ内の１ライン毎に左目画像及び右目画像を交互に配置するＬｉｎｅ  Ａｌｔｅｒｎａｔｉｖｅ方式などを用いてもよい。この場合、受信側で用いられる復号方式は、送信装置で用いる符号化方式に対応したものであればよい。
【０２３１】
（１４）上記の実施形態で示した送信処理、受信処理、表示処理を、送信装置１０、ＢＤレコーダ２０、デジタルテレビ３０のプロセッサ、及びそのプロセッサに接続された各種回路に実行させるための機械語或いは高級言語のプログラムコードからなる制御プログラムを、記録媒体に記録すること、又は各種通信路等を介して流通させ頒布することもできる。このような記録媒体には、ＩＣカード、ハードディスク、光ディスク、フレキシブルディスク、ＲＯＭ、フラッシュメモリ等がある。流通、頒布された制御プログラムはプロセッサに読み出され得るメモリ等に格納されることにより利用に供され、そのプロセッサがその制御プログラムを実行することにより上記の実施形態で示したような各機能が実現されるようになる。なお、プロセッサは、制御プログラムを直接実行する他、コンパイルして実行或いはインタプリタにより実行してもよい。
【０２３２】
（１５）上記の実施形態に示した各機能構成要素（入力部１０１、２Ｄ符号化部１０２、３Ｄ符号化部１０３、重要フラグ生成部１０４、多重化部１０５、ストリーム送信部１０６、チューナ２０１、多重分離部２０２、制御情報管理部２０３、復号処理部２０４、ＨＤＭＩ送信部２０５、ＨＤＭＩ受信部３０１、映像表示処理部３０２及び表示部３０３等）は、その機能を実行する回路として実現されてもよいし、１又は複数のプロセッサによりプログラムを実行することで実現されてもよい。また、実施の形態１〜３で示した送信装置、ＢＤレコーダ、デジタルテレビは、ＩＣ、ＬＳＩその他の集積回路のパッケージとして構成されるものとしてもよい。このパッケージは各種装置に組み込まれて利用に供され、これにより各種装置は、各実施形態で示したような各機能を実現するようになる。
（１６）上記の実施形態及び上記の変形例を適宜組み合わせてもよい。
＜５．補足＞
以下、更に本発明の一実施形態としての映像処理システム、送信装置及び受信装置の構成及びその変形例と効果について説明する。
【０２３３】
（ａ）映像処理システム送信装置と受信装置とを含む映像処理システムであって、前記送信装置は、入力された３Ｄ画像を符号化し、３Ｄ番組を生成する３Ｄ符号化部と、前記３Ｄ符号化部で生成された３Ｄ番組を含む複数番組から成る映像ストリームを生成するストリーム生成部と、前記映像ストリームを送信するストリーム送信部と、前記映像ストリームに含まれる複数番組の中から重要番組を特定するための情報を送信する情報送信部とを備え、前記受信装置は、前記情報を受信する情報受信部と、前記映像ストリームを受信するストリーム受信部と、前記映像ストリームを復号し、前記情報を用いて重要番組を特定し、特定した前記重要番組を、当該重要番組の直前に出力される先行番組の伝送レートと同じ伝送レートで表示装置との接続に用いられる伝送路へ出力されるように制御する復号処理部とを備えることを特徴とする。
【０２３４】
この構成によると、重要番組を先行番組の伝送レートと同じ伝送レートで出力することができるので、受信装置と表示装置との間で通信モードの再設定を行う必要がなくなる。そのため、表示装置において重要な番組を正常に表示することが可能となる。
【０２３５】
（ｂ）ここで、前記送信装置は、更に、２Ｄ原画像又は３Ｄ原画像で構成される番組を複数受け付ける入力部と、入力された２Ｄ画像を２Ｄ符号化方式で符号化し、２Ｄ番組を生成する２Ｄ符号化部とを備え、前記３Ｄ符号化部は、入力された３Ｄ画像を３Ｄ符号化方式で符号化し、前記ストリーム生成部は、前記２Ｄ符号化部で生成された２Ｄ番組を含む前記映像ストリームを生成し、前記復号処理部は、前記先行番組及び前記重要番組の何れか一方について、復号された２Ｄ画像を３Ｄ画像に変換してデータ量を２倍にするか、又は、復号された３Ｄ画像を２Ｄ画像に変換してデータ量を１／２倍にすることにより、前記先行番組と前記重要番組との伝送レートを等しくすることを特徴とする。
【０２３６】
この構成によると、２Ｄ番組と３Ｄ番組とが混在している場合であっても、重要番組を先行番組の伝送レートと同じ伝送レートで出力することができるので、受信装置と表示装置との間で通信モードの再設定を行う必要がなくなる。そのため、表示装置において重要な番組を正常に表示することが可能となる。
【０２３７】
（ｃ）送信装置であって、入力された３Ｄ画像を符号化し、３Ｄ番組を生成する３Ｄ符号化部と、前記３Ｄ符号化部で生成された３Ｄ番組を含む複数番組から成る映像ストリームを生成するストリーム生成部と、前記映像ストリームを送信するストリーム送信部と、前記映像ストリームに含まれる複数番組の中から、直前に出力する先行番組の伝送レートと同じ伝送レートで、当該送信装置に対応する受信装置と表示装置との間の接続に用いられる伝送路へ出力されるべき重要番組を特定するための情報を送信する情報送信部とを備えることを特徴とする。
【０２３８】
この構成によると、当該送信装置に対応する受信装置は、重要番組を先行番組の伝送レートと同じ伝送レートで出力することができるので、受信装置と表示装置との間で通信モードの再設定を行う必要がなくなる。そのため、表示装置において重要な番組を正常に表示することが可能となる。
【０２３９】
（ｄ）前記３Ｄ符号化部により生成される前記３Ｄ番組は、レフトビュービデオストリーム及びライトビュービデオストリームを含み、前記レフトビュービデオストリーム及び前記ライトビュービデオストリームの何れか一方がベースビュービデオストリームであり、他方がアディショナルビュービデオストリームであり、前記アディショナルビュービデオストリームは、前記ベースビュービデオストリームに基づいて生成されたものであり、前記３Ｄ符号化部は、前記アディショナルビュービデオストリームを生成する過程で、３Ｄ原画像を縮小しているか否かに応じて、受信装置で３Ｄ画像を２Ｄ画像に変換する場合に、前記アディショナルビュービデオストリームを使用するか否かを示す付加情報を生成する付加情報生成部と、前記付加情報を前記アディショナルビュービデオストリームに対応付けて出力する出力部とを含むことを特徴とする。
【０２４０】
この構成によると、受信装置は、３Ｄ画像を２Ｄ画像に変換する場合には、付加情報を用いることで適切な画像を選択することができる。
【０２４１】
（ｅ）送信装置であって、入力された３Ｄ原画像を符号化し、３Ｄ番組を生成する３Ｄ符号化部と、前記３Ｄ符号化部で生成された３Ｄ番組を含む複数番組から成る映像ストリームを生成するストリーム生成部と、前記映像ストリームを送信するストリーム送信部とを備え、前記３Ｄ符号化部により生成される前記３Ｄ番組は、レフトビュービデオストリーム及びライトビュービデオストリームを含み、前記レフトビュービデオストリーム及び前記ライトビュービデオストリームの何れか一方がベースビュービデオストリームであり、他方がアディショナルビュービデオストリームであり、前記アディショナルビュービデオストリームは、前記ベースビュービデオストリームに基づいて生成されたものであり、前記３Ｄ符号化部は、前記アディショナルビュービデオストリームを生成する過程で３Ｄ原画像を縮小しているか否かに応じて、受信装置で３Ｄ画像を２Ｄ画像に変換する場合に、前記アディショナルビュービデオストリームを使用するか否かを示す付加情報を生成する付加情報生成部と、前記付加情報を前記アディショナルビュービデオストリームに対応付けて出力する出力部とを含むことを特徴とする。
【０２４２】
この構成によると、受信装置は、３Ｄ画像を２Ｄ画像に変換する場合には、付加情報を用いることで適切な画像を選択することができる。
【０２４３】
（ｆ）送信装置であって、２Ｄ原画像又は３Ｄ原画像で構成された番組を複数受け付ける受付部と、入力された２Ｄ画像を２Ｄ符号化方式で符号化し、２Ｄ番組を生成する２Ｄ符号化部と、入力された３Ｄ画像を３Ｄ符号化方式で符号化し、３Ｄ番組を生成する３Ｄ符号化部と、前記受付部が受け付けた番組が重要番組の場合、前記重要番組と前記重要番組の直前に送信される先行番組とが同一の符号化方式で符号化されるように制御する制御部と、少なくとも前記２Ｄ符号化部により生成された２Ｄ番組又は前記３Ｄ符号化部により生成された３Ｄ番組を含む映像ストリームを生成するストリーム生成部と、前記映像ストリームを送信する送信部とを備えることを特徴とする。
【０２４４】
この構成によると、２Ｄ番組と３Ｄ番組とが混在している場合であっても、重要番組を先行番組の伝送レートと同じ伝送レートで出力することができるので、受信装置と表示装置との間で通信モードの再設定を行う必要がなくなる。そのため、表示装置において重要な番組を正常に表示することが可能となる。
【０２４５】
（ｇ）前記重要番組が２Ｄ原画像で構成され、且つ、前記先行番組が３Ｄ原画像で構成される場合に、前記受付部は、前記先行番組を構成する３Ｄ原画像を、前記３Ｄ画像として前記３Ｄ符号化部へ入力し、前記制御部は、前記重要番組を構成する２Ｄ原画像から３Ｄ画像を生成し、生成した前記３Ｄ画像を前記３Ｄ符号化部へ入力し、前記映像ストリーム生成部は、前記３Ｄ符号化部により生成された３Ｄ番組である前記重要番組及び３Ｄ番組である前記先行番組を含む前記映像ストリームを生成することを特徴とする。
【０２４６】
この構成によると、本来は２Ｄ番組である重要番組を、先行番組の表示モードに合わせて３Ｄ番組に変換することにより、受信側では表示モードに切り替えが発生しない。そのため、コマーシャル等の重要番組の最初の部分が表示されないという事態を回避することが可能となる。
【０２４７】
（ｈ）前記制御部は、前記重要番組を構成する２Ｄ原画像を複製することにより視差の無い３Ｄ画像を生成し、生成した前記３Ｄ画像を前記３Ｄ符号化部へ入力し、前記送信装置は、更に、前記３Ｄ符号化部により生成された視差の無い３Ｄ番組を特定するための情報を送信する情報送信部を備えることを特徴とする。
【０２４８】
視差の無い３Ｄ番組は、本来は表示する必要の無い冗長なフレームを含む。そのため、視差の無い３Ｄ番組を表示すると、表示装置の消費電力が増大するという問題がある。そこで、上記の構成によると、前記送信装置から視差の無い３Ｄ番組を特定するための情報を受信した受信装置は、表示装置に対して、冗長なフレームの削除を指示することが可能となる。これにより、表示装置の消費電力が増大するのを抑制することができる。
【０２４９】
（ｉ）前記情報送信部は、更に、前記映像ストリームに含まれる複数番組の中から、直前に表示される先行番組の表示周期と同一の表示周期で、当該送信装置に対応する受信装置と接続された表示装置において表示されるべき重要番組を特定するための情報を送信することを特徴とする。
【０２５０】
表示装置で２Ｄ表示モードと３Ｄ表示モードとを切り替える場合、表示周期を変更する必要がある。表示周期の変更に伴い、画面がブラックアウトする可能性がある。そこで、上記の構成によると、前記送信装置から前記重要番組を特定するための情報を受信した受信装置は、表示装置に対し、先行番組と同一の表示周期で前記重要番組を表示するように指示することが可能であるから、表示装置において表示周期の変更が発生せず、画面がブラックアウトすることを抑制することができる。
【０２５１】
（ｊ）前記重要番組が２Ｄ原画像で構成され、且つ、前記先行番組が３Ｄ原画像で構成される場合に、前記受付部は、前記重要番組を構成する２Ｄ原画像を前記２Ｄ画像として前記２Ｄ符号化部へ入力し、前記制御部は、前記先行番組を構成する３Ｄ原画像から２Ｄ画像を生成し、生成した前記２Ｄ画像を前記２Ｄ符号化部へ入力し、前記映像ストリーム生成部は、前記２Ｄ符号化部により生成された２Ｄ番組である前記重要番組及び２Ｄ番組である前記先行番組を含む前記映像ストリームを生成することを特徴とする。
【０２５２】
この構成によると、本来は３Ｄ番組である先行番組を、重要番組の表示モードに合わせて２Ｄ番組に変換することにより、受信側では表示モードに切り替えが発生しない。そのため、コマーシャル等の重要番組の最初の部分が表示されないという事態を回避することが可能となる。
【０２５３】
（ｋ）前記重要番組が３Ｄ原画像で構成され、且つ、前記先行番組が２Ｄ原画像で構成される場合に、前記受付部は、前記先行番組を構成する２Ｄ原画像を前記２Ｄ画像として、前記２Ｄ符号化部へ入力し、前記制御部は、前記重要番組を構成する３Ｄ原画像から２Ｄ画像を生成し、生成した前記２Ｄ画像を前記２Ｄ符号化部へ入力し、前記映像ストリーム生成部は、前記２Ｄ符号化部により生成された２Ｄ番組である前記重要番組及び２Ｄ番組である前記先行番組を含む前記映像ストリームを生成することを特徴とする。
【０２５４】
この構成によると、本来は３Ｄ番組である重要番組を、先行番組の表示モードに合わせて２Ｄ番組に変換することにより、受信側では表示モードに切り替えが発生しない。そのため、コマーシャル等の重要番組の最初の部分が表示されないという事態を回避することが可能となる。
（ｌ）前記重要番組が３Ｄ原画像で構成され、且つ、前記先行番組が２Ｄ原画像で構成される場合に、前記受付部は、前記重要番組を構成する３Ｄ原画像を、前記３Ｄ画像として前記３Ｄ符号化部へ入力し、前記制御部は、前記先行番組を構成する２Ｄ原画像から３Ｄ画像を生成し、生成した前記３Ｄ画像を前記３Ｄ符号化部へ入力し、前記映像ストリーム生成部は、前記３Ｄ符号化部により生成された３Ｄ番組である前記重要番組及び３Ｄ番組である前記先行番組を含む前記映像ストリームを生成することを特徴とする。
【０２５５】
この構成によると、本来は２Ｄ番組である先行番組を、重要番組の表示モードに合わせて３Ｄ番組に変換することにより、受信側では表示モードに切り替えが発生しない。そのため、コマーシャル等の重要番組の最初の部分が表示されないという事態を回避することが可能となる。
【０２５６】
（ｍ）前記制御部は、前記先行番組を構成する２Ｄ原画像を複製することにより視差の無い３Ｄ画像を生成し、生成した前記３Ｄ画像を前記３Ｄ符号化部へ入力し、前記送信装置は、更に、前記３Ｄ符号化部により生成された視差の無い３Ｄ番組を特定するための情報を送信する情報送信部を備えることを特徴とする。
【０２５７】
視差の無い３Ｄ番組は、本来は表示する必要の無い冗長なフレームを含む。そのため、視差の無い３Ｄ番組を表示すると、表示装置の消費電力が増大するという問題がある。そこで、上記の構成によると、前記送信装置から視差の無い３Ｄ番組を特定するための情報を受信した受信装置は、表示装置に対して、冗長なフレームの削除を指示することが可能となる。これにより、表示装置の消費電力が増大するのを抑制することができる。
【０２５８】
（ｎ）前記情報送信部は、更に、前記映像ストリームに含まれる複数番組の中から、直前に表示される先行番組の表示周期と同一の表示周期で、当該送信装置に対応する受信装置と接続された表示装置において表示されるべき重要番組を特定するための情報を送信することを特徴とする。
【０２５９】
表示装置で２Ｄ表示モードと３Ｄ表示モードとを切り替える場合、表示周期を変更する必要がある。表示周期の変更に伴い、画面がブラックアウトする可能性がある。そこで、上記の構成によると、前記送信装置から前記重要番組を特定するための情報を受信した受信装置は、表示装置に対し、先行番組と同一の表示周期で前記重要番組を表示するように指示することが可能であるから、表示装置において表示周期の変更が発生せず、画面がブラックアウトすることを抑制することができる。
【０２６０】
（ｏ）受信装置であって、３Ｄ符号化方式で符号化された３Ｄ番組を含む複数番組から成る映像ストリームを受信するストリーム受信部と、前記映像ストリームに含まれる複数番組の中から重要番組を特定するための情報を受信する情報受信部と、前記映像ストリームを復号し、前記情報を用いて重要番組を特定し、特定した前記重要番組を、当該重要番組の直前に出力される先行番組の伝送レートと同じ伝送レートで表示装置との接続に用いられる伝送路へ出力されるように制御する復号処理部とを備えることを特徴とする。
【０２６１】
この構成によると、重要番組を先行番組の伝送レートと同じ伝送レートで出力することができるので、受信装置と表示装置との間で通信モードの再設定を行う必要がなくなる。そのため、表示装置において重要な番組を正常に表示することが可能となる。
【０２６２】
（ｐ）前記映像ストリームは、更に、２Ｄ符号化方式で符号化された２Ｄ番組を含み、前記復号処理部は、前記先行番組及び前記重要番組の何れか一方について、復号された２Ｄ画像を３Ｄ画像に変換してデータ量を２倍にするか、又は、復号された３Ｄ画像を２Ｄ画像に変換してデータ量を１／２倍にすることにより、前記先行番組と前記重要番組との伝送レートを等しくすることを特徴とする。
【０２６３】
この構成によると、２Ｄ番組と３Ｄ番組とが混在している場合であっても、重要番組を先行番組の伝送レートと同じ伝送レートで出力することができるので、受信装置と表示装置との間で通信モードの再設定を行う必要がなくなる。そのため、表示装置において重要な番組を正常に表示することが可能となる。
【０２６４】
（ｑ）前記重要番組が２Ｄ番組であり、且つ、前記先行番組が３Ｄ番組である場合に、前記復号処理部は、前記重要番組を復号して得られる２Ｄ画像を複製することにより視差の無い３Ｄ画像を生成し、前記先行番組を復号して得られる３Ｄ画像と前記複製により生成した視差の無い３Ｄ画像とを出力することを特徴とする。
【０２６５】
この構成によると、本来は２Ｄ番組である重要番組を、先行番組の表示モードに合わせて３Ｄ番組に変換することにより、表示装置では表示モードに切り替えが発生しない。そのため、コマーシャル等の重要番組の最初の部分が表示されないという事態を回避することが可能となる。
【０２６６】
（ｒ）前記受信装置と前記表示装置とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠した伝送路で接続されており、前記受信装置は、更に、復号された２Ｄ画像及び３Ｄ画像をＨＤＭＩ規格に準拠した通信方式で前記表示装置へ送信するＨＤＭＩ送信部を備え、前記ＨＤＭＩ送信部は、視差の無い３Ｄ画像を送信する際に、視差が無いことを示す冗長フラグを前記３Ｄ画像に付加することを特徴とする。
【０２６７】
視差の無い３Ｄ画像は、本来は表示する必要の無い冗長なフレームである。そのため、視差の無い３Ｄ画像を表示すると、表示装置の消費電力が増大するという問題がある。そこで、前記受信装置は、冗長なフレームのヘッダ等に冗長フラグを格納して表示装置へ送信することにより、表示装置は、冗長なフレームを削除することが可能となる。これにより、表示装置の消費電力が増大するのを抑制することができる。
【０２６８】
（ｓ）前記重要番組が２Ｄ番組であり、且つ、前記先行番組が３Ｄ番組である場合に、
前記復号処理部は、前記先行番組を復号して得られる左目用画像及び右目用画像の一方を選択して出力し、前記重要番組を復号して得られる２Ｄ画像を出力することを特徴とする。
【０２６９】
この構成によると、本来は３Ｄ番組である先行番組を、重要番組の表示モードに合わせて２Ｄ番組に変換することにより、表示装置では表示モードに切り替えが発生しない。そのため、コマーシャル等の重要番組の最初の部分が表示されないという事態を回避することが可能となる。
【０２７０】
（ｔ）前記３Ｄ番組は、レフトビュービデオストリーム及びライトビュービデオストリームを含み、前記レフトビュービデオストリーム及び前記ライトビュービデオストリームの何れか一方がベースビュービデオストリームであり、他方がアディショナルビュービデオストリームであり、前記アディショナルビュービデオストリームは、前記ベースビュービデオストリームに基づいて生成されたものであり、前記アディショナルビュービデオストリームには、当該アディショナルビュービデオストリームを生成する過程で３Ｄ原画像を縮小しているか否かに応じて、受信装置で３Ｄ画像を２Ｄ画像に変換する場合に、当該アディショナルビュービデオストリームを使用するか否かを示す付加情報が付加されており、前記復号処理部は、前記付加情報を用いて、前記先行番組を復号して得られる前記左目用画像及び前記右目用画像の何れを選択するか決定することを特徴とする。
【０２７１】
アディショナルビュービデオストリームを生成する過程で３Ｄ原画像を縮小している場合、アディショナルビュービデオストリームの画像を２Ｄ表示モードで用いれば、画質の劣化が明らかであり、視聴者に違和感を与える可能性が高い。そこで、上記の構成を備えることにより、受信装置は、３Ｄ番組である先行番組を、重要番組の表示モードに合わせて２Ｄ番組に変換する際に、付加情報を用いることで適切な画像を選択することができる。
【０２７２】
（ｕ）前記先行番組が２Ｄ番組であり、且つ、前記重要番組が３Ｄ番組である場合に、前記復号処理部は、前記先行番組を復号して得られる２Ｄ画像を出力し、前記重要番組を復号して得られる左目用画像及び右目用画像の一方を選択して出力することを特徴とする。
【０２７３】
この構成によると、本来は３Ｄ番組である重要番組を、先行番組の表示モードに合わせて２Ｄ番組に変換することにより、表示装置では表示モードに切り替えが発生しない。そのため、コマーシャル等の重要番組の最初の部分が表示されないという事態を回避することが可能となる。
【０２７４】
（ｖ）前記３Ｄ番組は、レフトビュービデオストリーム及びライトビュービデオストリームを含み、前記レフトビュービデオストリーム及び前記ライトビュービデオストリームの何れか一方がベースビュービデオストリームであり、他方がアディショナルビュービデオストリームであり、前記アディショナルビュービデオストリームは、前記ベースビュービデオストリームに基づいて生成されたものであり、前記アディショナルビュービデオストリームには、当該アディショナルビュービデオストリームを生成する過程で３Ｄ原画像を縮小しているか否かに応じて、受信装置で３Ｄ画像を２Ｄ画像に変換する場合に、当該アディショナルビュービデオストリームを使用するか否かを示す付加情報が付加されており、前記復号処理部は、前記付加情報を用いて、前記重要番組を復号して得られる前記左目用画像及び前記右目用画像の何れを選択するか決定することを特徴とする。
【０２７５】
アディショナルビュービデオストリームを生成する過程で３Ｄ原画像を縮小している場合、アディショナルビュービデオストリームの画像を２Ｄ表示モードで用いれば、画質の劣化が明らかであり、視聴者に違和感を与える可能性が高い。そこで、上記の構成を備えることにより、受信装置は、３Ｄ番組である重要番組を、先行番組の表示モードに合わせて２Ｄ番組に変換する際に、付加情報を用いることで適切な画像を選択することができる。
【０２７６】
（ｗ）前記重要番組が３Ｄ番組であり、且つ、前記先行番組が２Ｄ番組である場合に、前記復号処理部は、前記先行番組を復号して得られる２Ｄ画像を複製することにより視差の無い３Ｄ画像を生成し、生成した視差の無い３Ｄ画像と、前記重要番組を復号して得られる３Ｄ画像とを出力することを特徴とする。
【０２７７】
この構成によると、本来は２Ｄ番組である先行番組を、重要番組の表示モードに合わせて３Ｄ番組に変換することにより、表示装置では表示モードに切り替えが発生しない。そのため、コマーシャル等の重要番組の最初の部分が表示されないという事態を回避することが可能となる。
【０２７８】
（ｘ）前記受信装置と前記表示装置とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠した伝送路で接続されており、前記受信装置は、更に、復号された２Ｄ画像及び３Ｄ画像をＨＤＭＩ規格に準拠した通信方式で前記表示装置へ送信するＨＤＭＩ送信部を備え、前記ＨＤＭＩ送信部は、視差の無い３Ｄ画像を送信する際に、視差が無いことを示す冗長フラグを前記３Ｄ画像に付加することを特徴とする。
【０２７９】
視差の無い３Ｄ画像は、本来は表示する必要の無い冗長なフレームである。そのため、視差の無い３Ｄ画像を表示すると、表示装置の消費電力が増大するという問題がある。そこで、前記受信装置は、例えば、冗長なフレームのヘッダ等に冗長フラグを格納して表示装置へ送信することにより、表示装置は、冗長なフレームを削除することが可能となる。これにより、表示装置の消費電力が増大するのを抑制することができる。
【０２８０】
（ｙ）受信装置であって、２Ｄ符号化方式で符号化された２Ｄ番組と３Ｄ符号化方式で符号化された３Ｄ番組とを含む複数番組から成る映像ストリームを受信するストリーム受信部と、視差の無い３Ｄ番組を特定するための情報を受信する情報受信部と、受信した前記映像ストリームを復号する復号処理部と、復号された２Ｄ画像及び３Ｄ画像を、ＨＤＭＩ規格に準拠した通信方式で表示装置へ送信するＨＤＭＩ送信部とを備え、前記ＨＤＭＩ送信部は、視差の無い３Ｄ画像を送信する際に、視差が無いことを示す冗長フラグを前記３Ｄ画像に付加することを特徴とする。
【０２８１】
視差の無い３Ｄ画像は、本来は表示する必要の無い冗長なフレームである。そのため、視差の無い３Ｄ画像を表示すると、表示装置の消費電力が増大するという問題がある。そこで、前記受信装置は、例えば、冗長なフレームのヘッダ等に冗長フラグを格納して表示装置へ送信することにより、表示装置は、冗長なフレームを削除することが可能となる。これにより、表示装置の消費電力が増大するのを抑制することができる。
【０２８２】
（ｚ）前記情報受信部は、更に、前記映像ストリームに含まれる複数番組の中から、直前に表示される先行番組の表示周期と同一の表示周期で、当該送信装置に対応する受信装置と接続された表示装置において表示されるべき重要番組を特定するための情報を受信し、前記ＨＤＭＩ送信部は、前記視差の無い３Ｄ画像が前記重要番組である場合には、前記冗長フラグを前記３Ｄ画像に付加する処理を抑制することを特徴とする。
【０２８３】
表示装置で２Ｄ表示モードと３Ｄ表示モードとを切り替える場合、表示周期を変更する必要がある。表示周期の変更に伴い、画面がブラックアウトする可能性がある。そこで、上記の受信装置は、前記冗長フラグを前記３Ｄ画像に付加する処理を抑制するので、表示装置において表示周期の変更が発生せず、画面がブラックアウトすることを抑制することができる。
【０２８４】
（Ａ）受信装置であって、３Ｄ符号化方式で符号化された映像ストリームを受信するストリーム受信部と、前記映像ストリームを復号する３Ｄ復号部と、復号された３Ｄ画像を２Ｄ画像に変換して出力する出力制御部とを備える受信装置であって、前記映像ストリームは、レフトビュービデオストリーム及びライトビュービデオストリームを含み、前記レフトビュービデオストリーム及び前記ライトビュービデオストリームの何れか一方がベースビュービデオストリームであり、他方がアディショナルビュービデオストリームであり、前記アディショナルビュービデオストリームは、前記ベースビュービデオストリームに基づいて生成されたものであり、前記アディショナルビュービデオストリームには、当該アディショナルビュービデオストリームを生成する過程で３Ｄ原画像を縮小しているか否かに応じて、受信装置で３Ｄ画像を２Ｄ画像に変換する場合に、当該アディショナルビュービデオストリームを使用するか否かを示す付加情報が付加されており、前記出力制御部は、３Ｄ画像を２Ｄ画像に変換する際に、前記付加情報を用いて、前記アディショナルビュービデオストリームを使用するか否か判断することを特徴とする。
【０２８５】
アディショナルビュービデオストリームを生成する過程で３Ｄ原画像を縮小している場合、アディショナルビュービデオストリームの画像を２Ｄ表示モードで用いれば、画質の劣化が明らかであり、視聴者に違和感を与える可能性が高い。そこで、上記の構成を備えることにより、受信装置は、３Ｄ画像を２Ｄ画像に変換する際に、付加情報を用いることで適切な画像を選択することができる。
【産業上の利用可能性】
【０２８６】
本発明の一態様である映像処理システムによると、送信装置、ＢＤレコーダ、デジタルテレビ等を製造及び販売する産業において、２Ｄ番組と３Ｄ番組とが混在している場合であっても、デジタルテレビにおいて、重要な番組を正常に表示することが可能な技術として利用することができる。
【符号の説明】
【０２８７】
１、２      映像処理システム
１０、１０ａ、１０ｂ          送信装置
２０、２０ａ、２０ｂ          ＢＤレコーダ
３０、３０ａ、３０ｂ、７０    デジタルテレビ
４０          ＨＤＭＩケーブル
５０          リモコン
６０          ３Ｄ眼鏡
１０１        入力部
１０２        ２Ｄ符号化部
１０３、１０３ａ          ３Ｄ符号化部
１０４        重要フラグ生成部
１０５        多重化部
１０６        ストリーム送信部
１２０        制御部
１３０        ２Ｄフラグ生成部
２０１        チューナ
２０２        多重分離部
２０３        制御情報管理部
２０４、２０４ａ        復号処理部
２０５、２０５ａ、２０５ｂ        ＨＤＭＩ送信部
２１１        ２Ｄ／３Ｄ判断部
２１２        切替部
２１３        ２Ｄ復号部
２１４        ３Ｄ復号部
２１５        出力制御部
２１５ａ      出力部
２１６        冗長フラグ生成部
３０１        ＨＤＭＩ受信部
３０２、３０２ａ        映像表示処理部
３０３        表示部
【図１】
2013031156.tif 000003
【図２】
2013031156.tif 000004
【図３】
2013031156.tif 000005
【図４】
2013031156.tif 000006
【図５】
2013031156.tif 000007
【図６】
2013031156.tif 000008
【図７】
2013031156.tif 000009
【図８】
2013031156.tif 000010
【図９】
2013031156.tif 000011
【図１０】
2013031156.tif 000012
【図１１】
2013031156.tif 000013
【図１２】
2013031156.tif 000014
【図１３】
2013031156.tif 000015
【図１４】
2013031156.tif 000016
【図１５】
2013031156.tif 000017
【図１６】
2013031156.tif 000018
【図１７】
2013031156.tif 000019
【図１８】
2013031156.tif 000020
【図１９】
2013031156.tif 000021
【図２０】
2013031156.tif 000022
【図２１】
2013031156.tif 000023
【図２２】
2013031156.tif 000024
【図２３】
2013031156.tif 000025
【図２４】
2013031156.tif 000026
【手続補正書】
【提出日】平成25年2月18日(2013.2.18)
【手続補正１】
【補正対象書類名】特許請求の範囲
【補正対象項目名】全文
【補正方法】変更
【補正の内容】
【特許請求の範囲】
【請求項１】
送信装置と受信装置とを含む映像処理システムであって、
前記送信装置は、
入力された３Ｄ画像を符号化し、３Ｄ番組を生成する３Ｄ符号化部と、
前記３Ｄ符号化部で生成された３Ｄ番組を含む複数番組から成る映像ストリームを生成するストリーム生成部と、
前記映像ストリームを送信するストリーム送信部と、
前記映像ストリームに含まれる複数番組の中から重要番組を特定するための情報を送信する情報送信部とを備え、
前記受信装置は、
前記情報を受信する情報受信部と、
前記映像ストリームを受信するストリーム受信部と、
前記映像ストリームを復号し、前記情報を用いて重要番組を特定し、特定した前記重要番組を、当該重要番組の直前に出力される先行番組の伝送レートと同じ伝送レートで表示装置との接続に用いられる伝送路へ出力されるように制御する復号処理部とを備える
ことを特徴とする映像処理システム。
【請求項２】
前記送信装置は、更に、
２Ｄ原画像又は３Ｄ原画像で構成される番組を複数受け付ける入力部と、
入力された２Ｄ画像を２Ｄ符号化方式で符号化し、２Ｄ番組を生成する２Ｄ符号化部とを備え、
前記３Ｄ符号化部は、入力された３Ｄ画像を３Ｄ符号化方式で符号化し、
前記ストリーム生成部は、前記２Ｄ符号化部で生成された２Ｄ番組を含む前記映像ストリームを生成し、
前記復号処理部は、前記先行番組及び前記重要番組の何れか一方について、復号された２Ｄ画像を３Ｄ画像に変換してデータ量を２倍にするか、又は、復号された３Ｄ画像を２Ｄ画像に変換してデータ量を１／２倍にすることにより、前記先行番組と前記重要番組との伝送レートを等しくする
ことを特徴とする請求項１に記載の映像処理システム。
【請求項３】
入力された３Ｄ画像を符号化し、３Ｄ番組を生成する３Ｄ符号化部と、
前記３Ｄ符号化部で生成された３Ｄ番組を含む複数番組から成る映像ストリームを生成するストリーム生成部と、
前記映像ストリームを送信するストリーム送信部と、
前記映像ストリームに含まれる複数番組の中から、直前に出力する先行番組の伝送レートと同じ伝送レートで、当該送信装置に対応する受信装置と表示装置との間の接続に用いられる伝送路へ出力されるべき重要番組を特定するための情報を送信する情報送信部と
を備えることを特徴とする送信装置。
【請求項４】
前記３Ｄ符号化部により生成される前記３Ｄ番組は、レフトビュービデオストリーム及びライトビュービデオストリームを含み、前記レフトビュービデオストリーム及び前記ライトビュービデオストリームの何れか一方がベースビュービデオストリームであり、他方がアディショナルビュービデオストリームであり、前記アディショナルビュービデオストリームは、前記ベースビュービデオストリームに基づいて生成されたものであり、
前記３Ｄ符号化部は、
前記アディショナルビュービデオストリームを生成する過程で、３Ｄ原画像の縮小度合に応じて、受信装置で３Ｄ画像を２Ｄ画像に変換する場合に、前記アディショナルビュービデオストリームの使用可否を示す付加情報を生成する付加情報生成部と、
前記付加情報を前記アディショナルビュービデオストリームに対応付けて出力する出力部とを含む
ことを特徴とする請求項３に記載の送信装置。
【請求項５】
入力された３Ｄ原画像を符号化し、３Ｄ番組を生成する３Ｄ符号化部と、
前記３Ｄ符号化部で生成された３Ｄ番組を含む複数番組から成る映像ストリームを生成するストリーム生成部と、
前記映像ストリームを送信するストリーム送信部とを備え、
前記３Ｄ符号化部により生成される前記３Ｄ番組は、レフトビュービデオストリーム及びライトビュービデオストリームを含み、前記レフトビュービデオストリーム及び前記ライトビュービデオストリームの何れか一方がベースビュービデオストリームであり、他方がアディショナルビュービデオストリームであり、前記アディショナルビュービデオストリームは、前記ベースビュービデオストリームに基づいて生成されたものであり、
前記３Ｄ符号化部は、
前記アディショナルビュービデオストリームを生成する過程で、３Ｄ原画像の縮小度合に応じて、受信装置で３Ｄ画像を２Ｄ画像に変換する場合に、前記アディショナルビュービデオストリームの使用可否を示す付加情報を生成する付加情報生成部と、
前記付加情報を前記アディショナルビュービデオストリームに対応付けて出力する出力部とを含む
ことを特徴とする送信装置。
【請求項６】
２Ｄ原画像又は３Ｄ原画像で構成された番組を複数受け付ける受付部と、
入力された２Ｄ画像を２Ｄ符号化方式で符号化し、２Ｄ番組を生成する２Ｄ符号化部と、
入力された３Ｄ画像を３Ｄ符号化方式で符号化し、３Ｄ番組を生成する３Ｄ符号化部と、
前記受付部が受け付けた番組が重要番組の場合、前記重要番組と前記重要番組の直前に送信される先行番組とが同一の符号化方式で符号化されるように制御する制御部と、
少なくとも前記２Ｄ符号化部により生成された２Ｄ番組又は前記３Ｄ符号化部により生成された３Ｄ番組を含む映像ストリームを生成するストリーム生成部と、
前記映像ストリームを送信する送信部と
を備えることを特徴とする送信装置。
【請求項７】
前記重要番組が２Ｄ原画像で構成され、且つ、前記先行番組が３Ｄ原画像で構成される場合に、
前記受付部は、前記先行番組を構成する３Ｄ原画像を、前記３Ｄ画像として前記３Ｄ符号化部へ入力し、
前記制御部は、前記重要番組を構成する２Ｄ原画像から３Ｄ画像を生成し、生成した前記３Ｄ画像を前記３Ｄ符号化部へ入力し、
前記映像ストリーム生成部は、前記３Ｄ符号化部により生成された３Ｄ番組である前記重要番組及び３Ｄ番組である前記先行番組を含む前記映像ストリームを生成する
ことを特徴とする請求項６に記載の送信装置。
【請求項８】
前記制御部は、前記重要番組を構成する２Ｄ原画像を複製することにより視差の無い３Ｄ画像を生成し、生成した前記３Ｄ画像を前記３Ｄ符号化部へ入力し、
前記送信装置は、更に、
前記３Ｄ符号化部により生成された視差の無い３Ｄ番組を特定するための情報を送信する情報送信部を備える
ことを特徴とする請求項７に記載の送信装置。
【請求項９】
前記情報送信部は、更に、
前記映像ストリームに含まれる複数番組の中から、直前に表示される先行番組の表示周期と同一の表示周期で、当該送信装置に対応する受信装置と接続された表示装置において表示されるべき重要番組を特定するための情報を送信する
ことを特徴とする請求項８に記載の送信装置。
【請求項１０】
前記重要番組が２Ｄ原画像で構成され、且つ、前記先行番組が３Ｄ原画像で構成される場合に、
前記受付部は、前記重要番組を構成する２Ｄ原画像を前記２Ｄ画像として前記２Ｄ符号化部へ入力し、
前記制御部は、前記先行番組を構成する３Ｄ原画像から２Ｄ画像を生成し、生成した前記２Ｄ画像を前記２Ｄ符号化部へ入力し、
前記映像ストリーム生成部は、前記２Ｄ符号化部により生成された２Ｄ番組である前記重要番組及び２Ｄ番組である前記先行番組を含む前記映像ストリームを生成する
ことを特徴とする請求項６に記載の送信装置。
【請求項１１】
前記重要番組が３Ｄ原画像で構成され、且つ、前記先行番組が２Ｄ原画像で構成される場合に、
前記受付部は、前記先行番組を構成する２Ｄ原画像を前記２Ｄ画像として、前記２Ｄ符号化部へ入力し、
前記制御部は、前記重要番組を構成する３Ｄ原画像から２Ｄ画像を生成し、生成した前記２Ｄ画像を前記２Ｄ符号化部へ入力し、
前記映像ストリーム生成部は、前記２Ｄ符号化部により生成された２Ｄ番組である前記重要番組及び２Ｄ番組である前記先行番組を含む前記映像ストリームを生成する
ことを特徴とする請求項６に記載の送信装置。
【請求項１２】
前記重要番組が３Ｄ原画像で構成され、且つ、前記先行番組が２Ｄ原画像で構成される場合に、
前記受付部は、前記重要番組を構成する３Ｄ原画像を、前記３Ｄ画像として前記３Ｄ符号化部へ入力し、
前記制御部は、前記先行番組を構成する２Ｄ原画像から３Ｄ画像を生成し、生成した前記３Ｄ画像を前記３Ｄ符号化部へ入力し、
前記映像ストリーム生成部は、前記３Ｄ符号化部により生成された３Ｄ番組である前記重要番組及び３Ｄ番組である前記先行番組を含む前記映像ストリームを生成する
ことを特徴とする請求項６に記載の送信装置。
【請求項１３】
前記制御部は、前記先行番組を構成する２Ｄ原画像を複製することにより視差の無い３Ｄ画像を生成し、生成した前記３Ｄ画像を前記３Ｄ符号化部へ入力し、
前記送信装置は、更に、
前記３Ｄ符号化部により生成された視差の無い３Ｄ番組を特定するための情報を送信する情報送信部を備える
ことを特徴とする請求項１２に記載の送信装置。
【請求項１４】
前記情報送信部は、更に、
前記映像ストリームに含まれる複数番組の中から、直前に表示される先行番組の表示周期と同一の表示周期で、当該送信装置に対応する受信装置と接続された表示装置において表示されるべき重要番組を特定するための情報を送信する
ことを特徴とする請求項１３に記載の送信装置。
【請求項１５】
３Ｄ符号化方式で符号化された３Ｄ番組を含む複数番組から成る映像ストリームを受信するストリーム受信部と、
前記映像ストリームに含まれる複数番組の中から重要番組を特定するための情報を受信する情報受信部と、
前記映像ストリームを復号し、前記情報を用いて重要番組を特定し、特定した前記重要番組を、当該重要番組の直前に出力される先行番組の伝送レートと同じ伝送レートで表示装置との接続に用いられる伝送路へ出力されるように制御する復号処理部とを備える
ことを特徴とする受信装置。
【請求項１６】
前記映像ストリームは、更に、２Ｄ符号化方式で符号化された２Ｄ番組を含み、
前記復号処理部は、前記先行番組及び前記重要番組の何れか一方について、復号された２Ｄ画像を３Ｄ画像に変換してデータ量を２倍にするか、又は、復号された３Ｄ画像を２Ｄ画像に変換してデータ量を１／２倍にすることにより、前記先行番組と前記重要番組との伝送レートを等しくする
ことを特徴とする請求項１５に記載の受信装置。
【請求項１７】
前記重要番組が２Ｄ番組であり、且つ、前記先行番組が３Ｄ番組である場合に、
前記復号処理部は、前記重要番組を復号して得られる２Ｄ画像を複製することにより視差の無い３Ｄ画像を生成し、前記先行番組を復号して得られる３Ｄ画像と前記複製により生成した視差の無い３Ｄ画像とを出力する
ことを特徴とする請求項１６に記載の受信装置。
【請求項１８】
前記受信装置と前記表示装置とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠した伝送路で接続されており、
前記受信装置は、更に、復号された２Ｄ画像及び３Ｄ画像をＨＤＭＩ規格に準拠した通信方式で前記表示装置へ送信するＨＤＭＩ送信部を備え、
前記ＨＤＭＩ送信部は、視差の無い３Ｄ画像を送信する際に、視差が無いことを示す冗長フラグを前記３Ｄ画像に付加する
ことを特徴とする請求項１７に記載の受信装置。
【請求項１９】
前記重要番組が２Ｄ番組であり、且つ、前記先行番組が３Ｄ番組である場合に、
前記復号処理部は、前記先行番組を復号して得られる左目用画像及び右目用画像の一方を選択して出力し、前記重要番組を復号して得られる２Ｄ画像を出力する
ことを特徴とする請求項１６に記載の受信装置。
【請求項２０】
前記３Ｄ番組は、レフトビュービデオストリーム及びライトビュービデオストリームを含み、前記レフトビュービデオストリーム及び前記ライトビュービデオストリームの何れか一方がベースビュービデオストリームであり、他方がアディショナルビュービデオストリームであり、前記アディショナルビュービデオストリームは、前記ベースビュービデオストリームに基づいて生成されたものであり、
前記アディショナルビュービデオストリームには、当該アディショナルビュービデオストリームを生成する過程で３Ｄ原画像を縮小しているか否かに応じて、受信装置で３Ｄ画像を２Ｄ画像に変換する場合に、当該アディショナルビュービデオストリームを使用するか否かを示す付加情報が付加されており、
前記復号処理部は、前記付加情報を用いて、前記先行番組を復号して得られる前記左目用画像及び前記右目用画像の何れを選択するか決定する
ことを特徴とする請求項１９に記載の受信装置。
【請求項２１】
前記先行番組が２Ｄ番組であり、且つ、前記重要番組が３Ｄ番組である場合に、
前記復号処理部は、前記先行番組を復号して得られる２Ｄ画像を出力し、前記重要番組を復号して得られる左目用画像及び右目用画像の一方を選択して出力する
ことを特徴とする請求項１６に記載の受信装置。
【請求項２２】
前記３Ｄ番組は、レフトビュービデオストリーム及びライトビュービデオストリームを含み、前記レフトビュービデオストリーム及び前記ライトビュービデオストリームの何れか一方がベースビュービデオストリームであり、他方がアディショナルビュービデオストリームであり、前記アディショナルビュービデオストリームは、前記ベースビュービデオストリームに基づいて生成されたものであり、
前記アディショナルビュービデオストリームには、当該アディショナルビュービデオストリームを生成する過程で３Ｄ原画像を縮小しているか否かに応じて、受信装置で３Ｄ画像を２Ｄ画像に変換する場合に、当該アディショナルビュービデオストリームを使用するか否かを示す付加情報が付加されており、
前記復号処理部は、前記付加情報を用いて、前記重要番組を復号して得られる前記左目用画像及び前記右目用画像の何れを選択するか決定する
ことを特徴とする請求項２１に記載の受信装置。
【請求項２３】
前記重要番組が３Ｄ番組であり、且つ、前記先行番組が２Ｄ番組である場合に、
前記復号処理部は、前記先行番組を復号して得られる２Ｄ画像を複製することにより視差の無い３Ｄ画像を生成し、生成した視差の無い３Ｄ画像と、前記重要番組を復号して得られる３Ｄ画像とを出力する
ことを特徴とする請求項１６に記載の受信装置。
【請求項２４】
前記受信装置と前記表示装置とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠した伝送路で接続されており、
前記受信装置は、更に、復号された２Ｄ画像及び３Ｄ画像をＨＤＭＩ規格に準拠した通信方式で前記表示装置へ送信するＨＤＭＩ送信部を備え、
前記ＨＤＭＩ送信部は、視差の無い３Ｄ画像を送信する際に、視差が無いことを示す冗長フラグを前記３Ｄ画像に付加する
ことを特徴とする請求項２３に記載の受信装置。
【請求項２５】
２Ｄ符号化方式で符号化された２Ｄ番組と３Ｄ符号化方式で符号化された３Ｄ番組とを含む複数番組から成る映像ストリームを受信するストリーム受信部と、
視差の無い３Ｄ番組を特定するための情報を受信する情報受信部と、
受信した前記映像ストリームを復号する復号処理部と、
復号された２Ｄ画像及び３Ｄ画像を、ＨＤＭＩ規格に準拠した通信方式で表示装置へ送信するＨＤＭＩ送信部とを備え、
前記ＨＤＭＩ送信部は、視差の無い３Ｄ画像を送信する際に、視差が無いことを示す冗長フラグを前記３Ｄ画像に付加する
ことを特徴とする受信装置。
【請求項２６】
前記情報受信部は、更に、
前記映像ストリームに含まれる複数番組の中から、直前に表示される先行番組の表示周期と同一の表示周期で、当該送信装置に対応する受信装置と接続された表示装置において表示されるべき重要番組を特定するための情報を受信し、
前記ＨＤＭＩ送信部は、前記視差の無い３Ｄ画像が前記重要番組である場合には、前記冗長フラグを前記３Ｄ画像に付加する処理を抑制する
ことを特徴とする請求項２５に記載の受信装置。
【請求項２７】
３Ｄ符号化方式で符号化された映像ストリームを受信するストリーム受信部と、
前記映像ストリームを復号する３Ｄ復号部と、
復号された３Ｄ画像を２Ｄ画像に変換して出力する出力制御部とを備える受信装置であって、
前記映像ストリームは、レフトビュービデオストリーム及びライトビュービデオストリームを含み、前記レフトビュービデオストリーム及び前記ライトビュービデオストリームの何れか一方がベースビュービデオストリームであり、他方がアディショナルビュービデオストリームであり、前記アディショナルビュービデオストリームは、前記ベースビュービデオストリームに基づいて生成されたものであり、
前記アディショナルビュービデオストリームには、当該アディショナルビュービデオストリームを生成する過程で、３Ｄ原画像の縮小度合に応じて、受信装置で３Ｄ画像を２Ｄ画像に変換する場合に、当該アディショナルビュービデオストリームの使用可否を示す付加情報が付加されており、
前記出力制御部は、３Ｄ画像を２Ｄ画像に変換する際に、前記付加情報を用いて、前記アディショナルビュービデオストリームを使用するか否か判断する
ことを特徴とする受信装置。
【請求項２８】
送信装置で用いられる送信方法であって、
３Ｄ画像を符号化し、３Ｄ番組を生成する３Ｄ符号化ステップと、
前記３Ｄ符号化ステップで生成された３Ｄ番組を含む複数番組から成る映像ストリームを生成するストリーム生成ステップと、
前記映像ストリームを送信するストリーム送信ステップと、
前記映像ストリームに含まれる複数番組の中から、直前に出力する先行番組の伝送レートと同じ伝送レートで、当該送信装置に対応する受信装置と表示装置との間の接続に用いられる伝送路へ出力されるべき重要番組を特定するための情報を送信する情報送信ステップとを含む
ことを特徴とする送信方法。
【請求項２９】
送信装置で用いられるコンピュータプログラムであって、
３Ｄ画像を符号化し、３Ｄ番組を生成する３Ｄ符号化ステップと、
前記３Ｄ符号化ステップで生成された３Ｄ番組を含む複数番組から成る映像ストリームを生成するストリーム生成ステップと、
前記映像ストリームを送信するストリーム送信ステップと、
前記映像ストリームに含まれる複数番組の中から、直前に出力する先行番組の伝送レートと同じ伝送レートで、当該送信装置に対応する受信装置と表示装置との間の接続に用いられる伝送路へ出力されるべき重要番組を特定するための情報を送信する情報送信ステップとを前記送信装置に実行させる
ことを特徴とするコンピュータプログラム。
【請求項３０】
受信装置で用いられる受信方法であって、
３Ｄ符号化方式で符号化された３Ｄ番組を含む複数番組から成る映像ストリームを受信するストリーム受信ステップと、
前記映像ストリームに含まれる複数番組の中から重要番組を特定するための情報を受信する情報受信ステップと、
前記映像ストリームを復号し、前記情報を用いて重要番組を特定し、特定した前記重要番組を、当該重要番組の直前に出力される先行番組の伝送レートと同じ伝送レートで表示装置との接続に用いられる伝送路へ出力されるように制御する復号処理ステップとを含む
ことを特徴とする受信方法。
【請求項３１】
受信装置で用いられるコンピュータプログラムであって、
３Ｄ符号化方式で符号化された３Ｄ番組を含む複数番組から成る映像ストリームを受信するストリーム受信ステップと、
前記映像ストリームに含まれる複数番組の中から重要番組を特定するための情報を受信する情報受信ステップと、
前記映像ストリームを復号し、前記情報を用いて重要番組を特定し、特定した前記重要番組を、当該重要番組の直前に出力される先行番組の伝送レートと同じ伝送レートで表示装置との接続に用いられる伝送路へ出力されるように制御する復号処理ステップとを前記受信装置に実行させる
ことを特徴とするコンピュータプログラム。
【国際調査報告】
2013031156.tif 000027
2013031156.tif 000028
2013031156.tif 000029
2013031156.tif 000030
2013031156.tif 000031
2013031156.tif 000032
2013031156.tif 000033
2013031156.tif 000034